(57)【要約】【課題】条件に応じて配信する情報を切り替え、しかも、ユーザが希望する情報だけを配信する。【解決手段】ユーザは、予め携帯情報端末５０にユーザ希望情報を設定して登録しておく（Ｔ０）。ネットワーク管理サーバ装置３０は、提供データＤ１を情報提供無線装置２０に設定する（Ｔ２）。情報提供無線装置２０は、提供データＤ１から得られた広告主情報Ｋ１及び識別情報Ｉ１を含むビーコン信号Ｂ１を携帯情報端末５０に送信する（Ｔ３）。携帯情報端末５０は、ビーコン信号Ｂ１を受信し（Ｔ４）、広告主情報Ｋ１及び識別情報Ｉ１がユーザ希望情報と一致する場合、情報送付要求Ｒをネットワーク管理サーバ装置３０に送信する（Ｔ５）。ネットワーク管理サーバ装置３０は、広告主情報Ｋ１及び識別情報Ｉ１に対応する提供情報Ｃ１を、ユーザ情報Ｕに対応する携帯情報端末５０に送信する（Ｔ６）。【選択図】図１
2016095726.tif 000002
【特許請求の範囲】
【請求項１】
情報提供装置と、サーバ装置と、携帯端末とが接続され、前記サーバ装置が前記携帯端末に広告提供情報を配信する広告情報配信システムであって、
前記サーバ装置は、
所定切替条件と、広告示唆情報と、前記広告提供情報とを対応付けて記憶するサーバ記憶部と、
前記所定切替条件が満たされると、前記所定切替条件に対応した前記広告示唆情報を前記情報提供装置に送信するサーバ送信部と、を備え、
前記携帯端末からの要求に応じて、前記広告提供情報を送信し、
前記情報提供装置は、
前記サーバ装置から送信された前記広告示唆情報の一部又は全部を含む信号を前記携帯端末に間欠的に送信する送信部、を備え、
前記携帯端末は、
前記送信部から送信された信号に対応する前記広告提供情報を前記サーバ装置に要求する広告要求部、を備える、
広告情報配信システム。
【請求項２】
請求項１に記載の広告情報配信システムであって、
前記情報提供装置は、前記広告示唆情報である識別情報及び広告主情報を含む信号を前記携帯端末に間欠的に送信し、
前記携帯端末は、前記情報提供装置から送信された信号に含まれる前記識別情報及び広告主情報に対する前記広告提供情報を前記サーバ装置に要求する、
広告情報配信システム。
【請求項３】
請求項１に記載の広告情報配信システムであって、
前記携帯端末は、前記広告示唆情報の一部である識別情報を予め登録しておき、
前記情報提供装置は、前記識別情報を含む信号を前記携帯端末に間欠的に送信し、
前記携帯端末は、
前記情報提供装置から送信された信号に含まれる識別情報が予め登録された識別情報と一致する場合、前記情報提供装置に対し、前記広告示唆情報の一部である広告主情報を要求し、
前記情報提供装置は、前記携帯端末によって要求された広告主情報を前記携帯端末に送信し、
前記携帯端末は、前記識別情報及び前記広告主情報に対する前記広告提供情報を前記サーバ装置に要求する、
広告情報配信システム。
【請求項４】
請求項１に記載の広告情報配信システムであって、
前記携帯端末は、前記広告示唆情報の一部である広告主情報を予め登録しておき、
前記情報提供装置は、前記広告主情報を含む信号を前記携帯端末に間欠的に送信し、
前記携帯端末は、
前記情報提供装置から送信された信号に含まれる広告主情報が予め登録された広告主情報と一致する場合、前記情報提供装置に対し、前記広告示唆情報の一部である識別情報を要求し、
前記情報提供装置は、前記携帯端末によって要求された識別情報を前記携帯端末に送信し、
前記携帯端末は、前記識別情報及び前記広告主情報に対する前記広告提供情報を前記サーバ装置に要求する、
広告情報配信システム。
【請求項５】
請求項１から４のうちいずれか一項に記載の広告情報配信システムであって、
前記所定切替条件は、時間、天候又は店舗の状況のうちいずれかである、
広告情報配信システム。
【請求項６】
請求項１に記載の広告情報配信システムであって、
前記サーバ装置は、
同一の時間帯に、複数の広告主情報に対応する複数の前記広告提供情報を前記サーバ記憶部において記憶し、
前記携帯端末からの要求に応じて、前記サーバ記憶部に記憶された複数の前記広告提供情報のいずれかを前記サーバ送信部から送信する、
広告情報配信システム。
【請求項７】
請求項１に記載の広告情報配信システムであって、
広告情報を表示する表示装置が接続され、
前記所定切替条件は、前記表示装置に表示される広告情報である、
広告情報配信システム。
【請求項８】
請求項７に記載の広告情報配信システムであって、
前記サーバ装置は、
前記サーバ記憶部に前記広告情報を記憶し、時間帯に対応する前記広告情報を前記サーバ送信部から前記表示装置に送信する、
広告情報配信システム。
【請求項９】
情報提供装置と、サーバ装置と、携帯端末と、入力表示装置とが接続され、前記サーバ装置が前記携帯端末に広告提供情報を配信する広告情報配信システムであって、
前記サーバ装置は、
選択情報と前記広告提供情報とを対応付けて記憶するサーバ記憶部を備え、
前記入力表示装置は、
表示部及び入力部を備え、前記表示部に広告情報を表示し、前記広告情報に対する選択情報が前記入力部によって選択された場合、前記選択情報を前記情報提供装置に送信し、
前記情報提供装置は、
前記入力表示装置から送信された前記選択情報を前記携帯端末に間欠的に送信し、
前記携帯端末は、
前記情報提供装置から送信された前記選択情報を受信する受信部と、
前記選択情報に対応する前記広告提供情報を前記サーバ装置に要求する広告要求部と、を備える、
広告情報配信システム。
【請求項１０】
請求項９に記載の広告情報配信システムであって、
前記情報提供装置は、前記入力表示装置から送信された前記選択情報及びリクエスト情報を前記携帯端末に間欠的に送信し、
前記携帯端末は、前記リクエスト情報を受信するように設定された場合、前記情報提供装置から送信された前記リクエスト情報及び前記選択情報を受信する、
広告情報配信システム。
【請求項１１】
請求項１に記載の広告情報配信システムであって、
前記情報提供装置は、前記携帯端末からの信号の受信レベルを検出する第１の受信レベル検出部を備え、前記受信レベルの大きさに応じて、前記広告示唆情報を変更する、
広告情報配信システム。
【請求項１２】
請求項１又は９に記載の広告情報配信システムであって、
前記携帯端末は、前記情報提供装置からの信号の受信レベルを検出する第２の受信レベル検出部を備え、前記受信レベルの大きさに応じて、前記サーバ装置に要求するか否かを決定する、
広告情報配信システム。
【請求項１３】
請求項１から１２のうちいずれか一項に記載の広告情報配信システムであって、
前記情報提供装置は、前記サーバ装置から休止命令が送信された場合、前記携帯端末に送信する信号を停止する、
広告情報配信システム。
【請求項１４】
情報提供装置と、サーバ装置と、携帯端末とが接続された広告情報配信システムにおいて、前記サーバ装置が前記携帯端末に広告提供情報を配信する広告情報配信方法であって、
前記サーバ装置が、所定切替条件と、広告示唆情報と、前記広告提供情報とを対応付けてサーバ記憶部に記憶するステップと、
前記サーバ装置が、前記所定切替条件が満たされると、前記所定切替条件に対応した前記広告示唆情報を前記情報提供装置に送信するステップと、
前記情報提供装置が、前記サーバ装置から送信された前記広告示唆情報の一部又は全部を含む信号を前記携帯端末に間欠的に送信するステップと、
前記携帯端末が、前記情報提供装置から送信された信号に対応する前記広告提供情報を前記サーバ装置に要求するステップと、
前記サーバ装置が、前記携帯端末からの要求に応じて、前記広告提供情報を送信するステップと、
を有する広告情報配信方法。
【請求項１５】
情報提供装置と、サーバ装置と、携帯端末と、入力表示装置とが接続された広告情報配信システムにおいて、前記サーバ装置が前記携帯端末に広告提供情報を配信する広告情報配信方法であって、
前記サーバ装置が、選択情報と前記広告提供情報とを対応付けてサーバ記憶部に記憶するステップと、
前記入力表示装置が、広告情報を表示し、前記広告情報に対する選択情報が選択された場合、前記選択情報を前記情報提供装置に送信するステップと、
前記情報提供装置が、前記入力表示装置から送信された前記選択情報を含む信号を前記携帯端末に間欠的に送信するステップと、
前記携帯端末が、前記情報提供装置から送信された信号に対応する前記選択情報を前記サーバ装置に要求するステップと、
前記サーバ装置が、前記携帯端末からの要求に応じて、前記広告提供情報を送信するステップと、を有する、
広告情報配信方法。
【発明の詳細な説明】
【技術分野】
【０００１】
本発明は、ユーザが所持する携帯端末に広告提供情報を配信する広告情報配信システム及び広告情報配信方法に関する。
【背景技術】
【０００２】
近年、無線ＬＡＮ（Local Area Network）のアクセスポイントに代表されるような無線装置が、自らの存在をユーザが所持する携帯端末に知らせるために一定間隔で発信する無線信号（ビーコン信号）を用いて、各種情報を配信するサービスが広まりつつある。
【０００３】
例えば、店舗等に無線装置を設置しておき、この無線装置からビーコン信号を用いて商品情報を携帯端末に送信し、携帯端末までの距離が短くなると、更にクーポンを発行するといったサービスの利用が挙げられる。
【０００４】
この種の先行技術として、無線端末の情報と場所の情報とを進入情報として取得し、無線端末が侵入した場所に対応するユーザ情報をデータベースから抽出し、このユーザ情報に対応した広告コンテンツを無線端末に配信する装置が知られている（例えば特許文献１参照）。
【先行技術文献】
【特許文献】
【０００５】
【特許文献１】特許第５４８６１１６号公報
【発明の概要】
【発明が解決しようとする課題】
【０００６】
しかしながら、従来の広告情報配信システムでは、携帯端末は、配信される情報のビーコン信号を検知する毎に起動してネットワークを使用して通信を行っていた。このため、通信が頻繁にあると携帯端末の電池の消耗が早まる上に、頻繁な情報提供はユーザに嫌厭された。
【０００７】
また、無線装置が設置された場所から配信される情報を有効に活用するためには、広告主や時間、天候等に応じて提供する情報を変更する必要があるが、従来では、ビーコン信号によって配信される情報は固定されていた。このため、ユーザの興味が薄れることがあった。
【０００８】
更に、携帯端末のユーザは、提供される情報の内容を判断して、その情報を受け取るか否かを選別することができなかった。
【０００９】
前述した特許文献１では、天候や時間帯等の条件に応じて、配信する情報を切り替えることができないので、無線端末のユーザが、提供される情報の内容を判断して、その情報を受け取るか否かを選別することもできなかった。
【００１０】
本発明は、上述した従来の状況に鑑みてなされたものであり、条件に応じて配信する情報を切り替え、しかも、ユーザが希望する情報だけを配信する広告情報配信システム及び広告情報配信方法を提供することを目的とする。
【課題を解決するための手段】
【００１１】
本発明は、情報提供装置と、サーバ装置と、携帯端末とが接続され、前記サーバ装置が前記携帯端末に広告提供情報を配信する広告情報配信システムであって、前記サーバ装置は、所定切替条件と、広告示唆情報と、前記広告提供情報とを対応付けて記憶するサーバ記憶部と、前記所定切替条件が満たされると、前記所定切替条件に対応した前記広告示唆情報を前記情報提供装置に送信するサーバ送信部と、を備え、前記携帯端末からの要求に応じて、前記広告提供情報を送信し、前記情報提供装置は、前記サーバ装置から送信された前記広告示唆情報の一部又は全部を含む信号を前記携帯端末に間欠的に送信する送信部を備え、前記携帯端末は、前記送信部から送信された信号に対応する前記広告提供情報を前記サーバ装置に要求する広告要求部を備える、広告情報配信システムである。
【００１２】
また、本発明は、情報提供装置と、サーバ装置と、携帯端末と、入力表示装置とが接続され、前記サーバ装置が前記携帯端末に広告提供情報を配信する広告情報配信システムであって、前記サーバ装置は、選択情報と前記広告提供情報とを対応付けて記憶するサーバ記憶部を備え、前記入力表示装置は、表示部及び入力部を備え、前記表示部に広告情報を表示し、前記広告情報に対する選択情報が前記入力部によって選択された場合、前記選択情報を前記情報提供装置に送信し、前記情報提供装置は、前記入力表示装置から送信された前記選択情報を前記携帯端末に間欠的に送信し、前記携帯端末は、前記情報提供装置から送信された前記選択情報を受信する受信部と、前記選択情報に対応する前記広告提供情報を前記サーバ装置に要求する広告要求部と、を備える、広告情報配信システムである。
【００１３】
また、本発明は、情報提供装置と、サーバ装置と、携帯端末とが接続された広告情報配信システムにおいて、前記サーバ装置が前記携帯端末に広告提供情報を配信する広告情報配信方法であって、前記サーバ装置が、所定切替条件と、広告示唆情報と、前記広告提供情報とを対応付けてサーバ記憶部に記憶するステップと、前記サーバ装置が、前記所定切替条件が満たされると、前記所定切替条件に対応した前記広告示唆情報を前記情報提供装置に送信するステップと、前記情報提供装置が、前記サーバ装置から送信された前記広告示唆情報の一部又は全部を含む信号を前記携帯端末に間欠的に送信するステップと、前記携帯端末が、前記情報提供装置から送信された信号に対応する前記広告提供情報を前記サーバ装置に要求するステップと、前記サーバ装置が、前記携帯端末からの要求に応じて、前記広告提供情報を送信するステップと、を有する、広告情報配信方法である。
【００１４】
また、本発明は、情報提供装置と、サーバ装置と、携帯端末と、入力表示装置とが接続された広告情報配信システムにおいて、前記サーバ装置が前記携帯端末に広告提供情報を配信する広告情報配信方法であって、前記サーバ装置が、選択情報と前記広告提供情報とを対応付けてサーバ記憶部に記憶するステップと、前記入力表示装置が、広告情報を表示し、前記広告情報に対する選択情報が選択された場合、前記選択情報を前記情報提供装置に送信するステップと、前記情報提供装置が、前記入力表示装置から送信された前記選択情報を含む信号を前記携帯端末に間欠的に送信するステップと、前記携帯端末が、前記情報提供装置から送信された信号に対応する前記選択情報を前記サーバ装置に要求するステップと、前記サーバ装置が、前記携帯端末からの要求に応じて、前記広告提供情報を送信するステップと、を有する、広告情報配信方法である。
【発明の効果】
【００１５】
本発明によれば、条件に応じて配信する情報を切り替えることができ、しかも、ユーザが希望する情報だけを配信することができる。
【図面の簡単な説明】
【００１６】
【図１】第１の実施形態における広告情報配信システムの概略構成を示す図
【図２】情報提供無線装置の構成を示すブロック図
【図３】ネットワーク管理サーバ装置の構成を示すブロック図
【図４】携帯情報端末の構成を示すブロック図
【図５】デジタルサイネージ表示装置の構成を示すブロック図
【図６】広告情報配信システムにおける第１の通信手順を示すタイミングチャート
【図７】広告情報配信システムにおける第２の通信手順を示すタイミングチャート
【図８】広告情報配信システムにおける第３の通信手順を示すタイミングチャート
【図９】情報提供無線装置の動作手順を示すフローチャート
【図１０】時間による提供データＤの変更例を示す広告管理テーブルの登録内容を示す図
【図１１】時間により提供データＤを変更する場合における広告情報配信システムの動作手順を示すタイミングチャート
【図１２】天候による提供データＤの変更例を示す広告管理テーブルの登録内容を示す図
【図１３】天候により提供データＤを変更する場合における広告情報配信システムの動作手順を示すタイミングチャート
【図１４】店舗の状況による提供データＤの変更例を示す広告管理テーブルの登録内容を示す図
【図１５】店舗の状況により提供データＤを変更する場合における広告情報配信システムの動作手順を示すタイミングチャート
【図１６】時間により複数の広告主情報Ｋを提供する例を示す広告管理テーブルの登録内容を示す図
【図１７】時間により複数の広告主情報Ｋを提供する際の提供データＤを変更する場合における広告情報配信システムの動作手順を示すタイミングチャート
【図１８】デジタルサイネージ表示装置の表示内容に応じた提供データＤの変更例を示す広告管理テーブルの登録内容を示す図
【図１９】デジタルサイネージ表示装置のサイネージ表示内容Ｍに応じて提供データＤを変更する場合における広告情報配信システムの動作手順を示すタイミングチャート
【図２０】時間によるデジタルサイネージ表示装置の表示内容と提供データを変更する例を示す広告管理テーブルの登録内容を示す図
【図２１】時間によりサイネージ表示内容Ｍと提供データＤを変更する場合における広告情報配信システムの動作手順を示すタイミングチャート
【図２２】第２の実施形態の広告情報配信システムにおける第４の通信手順を示すタイミングチャート
【図２３】広告情報配信システムにおける第５の通信手順を示すタイミングチャート
【図２４】広告情報配信システムにおける第６の通信手順を示すタイミングチャート
【図２５】タッチパネル式のデジタルサイネージ表示装置において選択した内容に応じた提供情報Ｃを変更する例を示す広告管理テーブルの登録内容を示す図
【図２６】タッチパネル式のデジタルサイネージ表示装置において選択した内容に応じた提供情報を変更する場合における広告情報配信システムの動作手順を示すタイミングチャート
【図２７】変形例における一体型装置の構成を示すブロック図
【発明を実施するための形態】
【００１７】
以下、本発明に係る広告情報配信システム及び広告情報配信方法の各実施形態について、図面を参照して説明する。
【００１８】
（第１の実施形態）
（広告情報配信システム１０の概略構成）
図１は、第１の実施形態における広告情報配信システム１０の概略構成を示す図である。広告情報配信システム１０は、ネットワーク管理サーバ装置３０、情報提供無線装置２０、携帯情報端末５０及びデジタルサイネージ表示装置６０から構成される。
【００１９】
情報提供無線装置２０、デジタルサイネージ表示装置６０及びネットワーク管理サーバ装置３０は、インターネット等の通信ネットワーク７２を介して通信可能に接続される。携帯情報端末５０及びネットワーク管理サーバ装置３０は、携帯回線ネットワーク７６を介して通信可能に接続される。情報提供無線装置２０は、携帯情報端末５０に対し、一定周期で間欠的に送信される無線信号であるビーコン信号を送信する。
【００２０】
また、ネットワーク管理サーバ装置３０は、後述するユーザ情報ＤＢ３４、広告主情報ＤＢ３５、識別情報ＤＢ３６、提供情報ＤＢ３７及び広告情報ＤＢ３８を有する。
【００２１】
デジタルサイネージ表示装置６０は、通信ネットワーク７２を介してネットワーク管理サーバ装置３０から提供される、お得情報や商品情報等の広告情報を表示する電子看板である。このデジタルサイネージ表示装置６０は、情報提供無線装置２０によって送信されるビーコン信号が届く範囲（セル）内に設置される。
【００２２】
（情報提供無線装置２０の構成）
図２は、情報提供無線装置２０の構成を示すブロック図である。情報提供無線装置２０は、制御部２１、表示部２２、操作部２３、メモリ部２４、無線部２５及び外部接続インターフェース（Ｉ／Ｆ）部２６を有する。
【００２３】
制御部２１は、情報提供無線装置２０の全体の動作を制御するものであり、パケット信号生成部２１Ａ及び提供データ判別部２１Ｂを有する。パケット信号生成部２１Ａは、ビーコン用のパケット信号を生成する。パケット信号には、後述する広告主情報及び識別情報等の情報が格納される。提供データ判別部２１Ｂは、ネットワーク管理サーバ装置３０から送信される提供データＤを判別する。
【００２４】
表示部２２は、各種情報を表示する。操作部２３は、管理者による電源投入や初期設定等の入力操作を受け付ける。メモリ部２４は、広告主情報Ｋ、識別情報Ｉ、提供データＤ１、Ｄ２等を記憶する。
【００２５】
無線部２５は、アンテナ２５Ｂを有し、一定間隔で間欠的に発信される無線信号（ビーコン信号）を携帯情報端末５０に向けて送信する。また、無線部２５は、携帯情報端末５０から発せられる無線信号（受信電波）の受信レベルを検出する受信レベル検知部２５Ａを有する。なお、受信レベル検知部２５Ａ（第１の受信レベル検出部）はオプションで追加される。情報提供無線装置２０は、受信レベル検知部２５Ａが、携帯情報端末５０から送信される受信電波の受信レベルが小さい場合、つまり、携帯情報端末５０が遠方にあると判断される場合、例えばイベント情報のビーコン信号を送信し、受信レベルが大きい場合、つまり、携帯情報端末５０が近くにあると判断される場合、例えばクーポンのビーコン信号を携帯情報端末５０に送信する。これにより、お客様を店舗に誘導することができる。
【００２６】
外部接続インターフェース部２６は、情報提供無線装置２０を通信ネットワーク７２に接続する。
【００２７】
（ネットワーク管理サーバ装置３０の構成）
図３は、ネットワーク管理サーバ装置３０の構成を示すブロック図である。ネットワーク管理サーバ装置３０は、通信ネットワーク７２と接続し、この通信ネットワーク７２に接続された機器と通信を行うものであり、制御部３１、表示部３２、操作部３３、通信部３９及びメモリ部４０を有する。また、制御部３１には、ユーザ情報データベース（ＤＢ）３４、広告主情報ＤＢ３５、識別情報ＤＢ３６、提供情報ＤＢ３７及び広告情報ＤＢ３８が接続される。なお、これらのデータベースは、ネットワーク管理サーバ装置３０に接続される外部記憶装置（ストレージ）として、ネットワーク管理サーバ装置３０と別体に構成されてもよい。
【００２８】
制御部３１は、ネットワーク管理サーバ装置３０の各部の動作を制御するものであり、提供情報生成部３１Ａ及び提供データ生成部３１Ｂを有する。提供情報生成部３１Ａは、提供データＤに対応する広告主情報Ｋ及び識別情報Ｉを、広告主情報ＤＢ３５及び識別情報ＤＢ３６を用いて選定し、これらの情報を含む、情報提供無線装置２０に設定される提供データＤを生成する。
【００２９】
提供データ生成部３１Ｂは、携帯情報端末５０から送付される情報送付要求Ｒに含まれる広告主情報Ｋ及び識別情報Ｉ、又は必要に応じてユーザ情報Ｕを活用し、提供情報ＤＢ３７を用いて携帯情報端末５０に提供する提供情報Ｃを生成する。
【００３０】
ユーザ情報ＤＢ３４は、携帯情報端末５０のユーザ情報（例えばスマートフォンのＩＤ情報等）を蓄積する。広告主情報ＤＢ３５は、広告主（スポンサ）に関する情報を蓄積する。識別情報ＤＢ３６は、お得情報、商品情報等を蓄積する。提供情報ＤＢ３７は、提供情報Ｃ（コンテンツデータ）を蓄積する。広告情報ＤＢ３８は、広告情報（サイネージ表示内容Ｍ）を蓄積する。
【００３１】
制御部３１は、通信ネットワーク７２及び通信部３９を介して携帯情報端末５０から情報送付要求Ｒを受信し、ユーザ情報ＤＢ３４、広告主情報ＤＢ３５及び識別情報ＤＢ３６を元に提供情報ＤＢ３７に蓄積された提供情報Ｃを生成し、この提供情報Ｃを通信ネットワーク７２を介して携帯情報端末５０に返信する。
【００３２】
表示部３２は、情報提供無線装置２０の状態等を表示する。操作部３３は、管理者による電源投入や初期設定等の入力操作を受け付ける。通信部３９は、ネットワーク管理サーバ装置３０を通信ネットワーク７２に接続する。
【００３３】
メモリ部４０は、ネットワーク管理サーバ装置３０の動作プログラムや、後述する広告管理テーブル４１〜４７等の設定情報を格納し、また、サーバ状態遷移等の情報を一時的に格納する。更に、メモリ部４０は、提供情報Ｃや提供データＤを一時的に格納する際にも使用される。
【００３４】
（携帯情報端末５０の構成）
図４は、携帯情報端末５０の構成を示すブロック図である。本実施形態の携帯情報端末５０は、制御部５１、表示部５２、操作部５３、メモリ部５４、携帯回線通信部５５、無線部５６、データ通信部５７、周辺機器Ｉ／Ｆ部５８、電源部５９Ａ及び充電部５９Ｂを有する。
【００３５】
制御部５１は、携帯情報端末５０の各部の動作を制御するものであり、提供データ判別部５１Ａを有する。提供データ判別部５１Ａは、無線部５６を介して情報提供無線装置２０から受信した提供データＤを判別し、この提供データＤに含まれる広告主情報Ｋ及び識別情報Ｉと、メモリ部５４に予め登録された広告主情報Ｋ及び識別情報Ｉとを比較する。
【００３６】
表示部５２は、各種情報を表示する。操作部５３は、ユーザによる入力操作を受け付ける。携帯情報端末５０がスマートフォンである場合、表示部５２及び操作部５３は、タッチパネルで一体化された構造を有する。
【００３７】
メモリ部５４は、制御部５１によって実行される広告情報配信システム専用のアプリケーションを格納し、また、登録情報として、広告主情報Ｋ及び識別情報Ｉを記憶する。
【００３８】
携帯回線通信部５５は、携帯回線ネットワーク７６を介してネットワーク管理サーバ装置３０と通信を行う。
【００３９】
無線部５６は、情報提供無線装置２０から送信されるビーコン信号を受信するものであり、受信レベル検知部５６Ａ（第２の受信レベル検出部）を有する。なお、受信レベル検知部５６Ａはオプションで追加される。携帯情報端末５０は、例えば情報提供無線装置２０から発信される受信電波の受信レベルが小さい場合、つまり、遠方の場合、提供情報を取得せず、受信レベルが大きい場合、つまり、近くの場合、提供情報を取得する。これにより、ユーザが受信レベルに応じた設定を行うことができ、例えば自身の行動範囲に適した提供情報の取得が可能となる。
【００４０】
データ通信部５７は、Ｂｌｕｅｔｏｏｔｈ（登録商標）等の近距離無線通信を行う。周辺機器Ｉ／Ｆ部５８は、各種の周辺機器を携帯情報端末５０に接続する。電源部５９Ａは、バッテリを内蔵し、携帯情報端末５０の各部に電力を供給する。充電部５９Ｂは、電源部５９Ａに内蔵されたバッテリを充電する。
【００４１】
（デジタルサイネージ表示装置６０の構成）
図５は、デジタルサイネージ表示装置６０の構成を示すブロック図である。デジタルサイネージ表示装置６０は、画像表示制御部６１、表示部６２、操作部６３、画像処理メモリ部６４、外部接続Ｉ／Ｆ部６５及び周辺機器Ｉ／Ｆ部６６を有する。
【００４２】
画像表示制御部６１は、外部接続Ｉ／Ｆ部６５を介して通信ネットワーク７２から入力される画像信号を画像処理メモリ部６４に格納し、画像信号に基づく広告情報を表示部６２に表示させる。また、画像表示制御部６１は、操作部６３からの入力操作に合わせた動作を実行し、周辺機器Ｉ／Ｆ部６６を介して外部機器と接続する。
【００４３】
表示部６２は、各種情報を表示する。操作部６３は、ユーザによる入力操作を受け付ける。なお、表示部６２及び操作部６３は、タッチパネル６８として一体化された構造を有する。
画像処理メモリ部６４は、通信ネットワーク７２を介して入力した画像信号を格納する。
【００４４】
外部接続Ｉ／Ｆ部６５は、ネットワーク管理サーバ装置３０等の外部機器と接続して外部機器から画像信号を入力し、また、ＵＳＢ（Universal Serial Bus）やメモリカード等の外部メモリから画像信号を入力する。
【００４５】
（広告情報配信システム１０の動作）
上記構成を有する広告情報配信システム１０の動作を示す。広告情報配信システム１０では、ネットワーク管理サーバ装置３０に対する提供情報Ｃの情報送付要求Ｒは、３つの通信手順を用いて行われる。始めに、３つの通信手順（第１の通信手順、第２の通信手順、第３の通信手順）について説明する。
【００４６】
（第１の通信手順）
図６は、広告情報配信システム１０における第１の通信手順を示すタイミングチャートである。ここで、携帯情報端末５０は、広告情報配信システム専用のアプリケーションを起動しているものとし、以後の説明においても同様である。
【００４７】
ユーザは、予め携帯情報端末５０に、ユーザが希望する情報（ユーザ希望情報）を設定して登録しておく（Ｔ０）。このユーザ希望情報には、広告主情報Ｋ及び識別情報Ｉが含まれる。
【００４８】
ネットワーク管理サーバ装置３０は、デジタルサイネージ表示装置６０に広告主からの情報（サイネージ表示内容Ｍ１）を送信して設定する（Ｔ１）。デジタルサイネージ表示装置６０は、次の情報が設定されるまで、このサイネージ表示内容Ｍ１を表示し続ける。サイネージ表示内容Ｍ１として、例えば商品の値引き等の情報が挙げられる。
【００４９】
ネットワーク管理サーバ装置３０は、サイネージ表示内容Ｍ１に合わせた、提供情報（コンテンツ）に関連付けられた提供データＤ１（例えば図１０参照）を、情報提供無線装置２０に送信して設定する（Ｔ２）。この提供データＤ１には、広告主情報Ｋ１及び識別情報Ｉ１が含まれる。
【００５０】
情報提供無線装置２０は、提供データＤ１から得られた広告主情報Ｋ１及び識別情報Ｉ１を含むビーコン信号Ｂ１を携帯情報端末５０に送信する（Ｔ３）。
【００５１】
携帯情報端末５０は、ビーコンエリア内に入ると、ビーコン信号Ｂ１を受信する（Ｔ４）。そして、このビーコン信号Ｂ１に含まれる広告主情報Ｋ１及び識別情報Ｉ１がユーザ希望情報と一致する場合、携帯情報端末５０は、ユーザ情報Ｕ、広告主情報Ｋ１及び識別情報Ｉ１を含む情報送付要求Ｒ１をネットワーク管理サーバ装置３０に自動的に送信する（Ｔ５）。
【００５２】
ネットワーク管理サーバ装置３０は、広告主情報Ｋ１及び識別情報Ｉ１から提供情報Ｃ１を認識し、ユーザ情報Ｕに対応する携帯情報端末５０に提供情報Ｃ１を送信し、携帯情報端末５０は、この提供情報Ｃ１を受信する（Ｔ６）。
【００５３】
この後、ネットワーク管理サーバ装置３０は、次の広告主からの情報であるサイネージ表示内容Ｍ２をデジタルサイネージ表示装置６０に送信して設定する（Ｔ７）。ネットワーク管理サーバ装置３０は、提供情報を変更するために、提供データＤ２を情報提供無線装置２０に送信して設定する（Ｔ８）。情報提供無線装置２０は、同様に、提供データＤ２から得られた広告主情報Ｋ２及び識別情報Ｉ２を含むビーコン信号Ｂ２を携帯情報端末５０に向けて送信する（Ｔ９）。
【００５４】
このように、ユーザが、携帯情報端末５０に、予めユーザ希望情報として広告主情報Ｋ及び識別情報Ｉを登録しておき、ビーコン信号Ｂに含まれる広告主情報Ｋ及び識別情報Ｉがユーザ希望情報と一致する場合、携帯情報端末５０は、提供情報Ｃを取得する。これにより、速やかに提供情報Ｃを取得可能である。また、携帯情報端末５０にビーコン信号Ｂが送られてくる前に、デジタルサイネージ表示装置６０にサイネージ表示内容Ｍ（広告情報）を表示しておくことで、ユーザは提供情報の内容を判断することができる。
【００５５】
（第２の通信手順）
図７は、広告情報配信システム１０における第２の通信手順を示すタイミングチャートである。
【００５６】
ユーザは、携帯情報端末５０に、予めユーザが希望する情報（ユーザ希望情報）を設定して登録する（Ｔ１０）。このユーザ希望情報には、識別情報Ｉのみが含まれる。
【００５７】
ネットワーク管理サーバ装置３０は、デジタルサイネージ表示装置６０に広告主からの情報（サイネージ表示内容Ｍ１）を送信して設定する（Ｔ１１）。デジタルサイネージ表示装置６０は、次の情報が設定されるまで、このサイネージ表示内容Ｍ１を表示し続ける。
【００５８】
ネットワーク管理サーバ装置３０は、サイネージ表示内容Ｍ１に合わせた提供データＤ１を情報提供無線装置２０に送信して設定する（Ｔ１２）。この提供データＤ１には、広告主情報Ｋ１及び識別情報Ｉ１が含まれる。
【００５９】
情報提供無線装置２０は、提供データＤ１から得られた識別情報Ｉ１のみを含むビーコンＢ１を携帯情報端末５０に向けて送信する（Ｔ１３）。
【００６０】
携帯情報端末５０は、ビーコンエリア内に入ると、ビーコン信号Ｂ１を受信する（Ｔ１４）。そして、このビーコン信号Ｂ１に含まれる識別情報Ｉ１がユーザ希望情報と一致する場合、携帯情報端末５０は、データ取得希望の有無を促し、取得希望があった場合、情報提供無線装置２０にデータ送付要求を送信する（Ｔ１５）。
【００６１】
この場合の一例として、識別情報Ｉ１がユーザ希望情報と一致すると、起動している広告情報配信システム専用のアプリケーションが携帯情報端末５０の表示部５２にポップ画面を立ち上げて識別情報Ｉ１を表示すると共に、データ取得希望か否かを問い合わせるＹＥＳ／ＮＯボタンを表示する。そして、ＹＥＳボタン（取得ボタン）がタッチ入力された場合、携帯情報端末５０は情報提供無線装置２０にデータ送付要求を送る。なお、識別情報Ｉ１がユーザ希望情報と一致した場合、既にユーザの希望が反映されているので、ユーザにデータ取得希望を問い合わせることなく、自動的にデータ送付要求を送信してもよい。
【００６２】
情報提供無線装置２０は、この要求に応答し、携帯情報端末５０に、識別情報Ｉ１に対応する広告主情報Ｋ１を送信する（Ｔ１６）。
【００６３】
携帯情報端末５０は、ユーザ情報Ｕ、広告主情報Ｋ１及び識別情報Ｉ１を含む情報送付要求Ｒ１をネットワーク管理サーバ装置３０に送信する（Ｔ１７）。この後、通信手順は前記第１の通信手順と同様である。
【００６４】
即ち、ネットワーク管理サーバ装置３０は、取得した広告主情報Ｋ１及び識別情報Ｉ１から提供情報Ｃ１を認識し、ユーザ情報Ｕに対応する携帯情報端末５０に提供情報Ｃ１を送信し、携帯情報端末５０は、この提供情報Ｃ１を受信する（Ｔ１８）。
【００６５】
この後、ネットワーク管理サーバ装置３０は、次の広告主からの情報であるサイネージ表示内容Ｍ２をデジタルサイネージ表示装置６０に送信して設定する（Ｔ１９）。
【００６６】
ネットワーク管理サーバ装置３０は、提供情報を変更するために、提供データＤ２を情報提供無線装置２０に設定する（Ｔ２０）。情報提供無線装置２０は、提供データＤ２から得られた広告主情報Ｋ２及び識別情報Ｉ２を含むビーコン信号Ｂ２を携帯情報端末５０に向けて送信する（Ｔ２１）。以後、同様の動作が行われる。
【００６７】
このように、ユーザが、携帯情報端末５０に、予めユーザ希望情報として識別情報Ｉのみを登録しておき、ビーコン信号Ｂに含まれる識別情報Ｉがユーザ希望情報と一致する場合、携帯情報端末５０は、ユーザが提供情報Ｃの取得を希望する場合、情報提供無線装置２０から広告主情報Ｋを取得する。これにより、識別情報Ｉに基づくユーザの希望を反映させた提供情報Ｃだけを取得可能である。
【００６８】
（第３の通信手順）
図８は、広告情報配信システム１０における第３の通信手順を示すタイミングチャートである。
【００６９】
ユーザは、予め携帯情報端末５０に、ユーザが希望する情報（ユーザ希望情報）を設定して登録する（Ｔ３０）。このユーザ希望情報には、広告主情報Ｋのみが含まれる。
【００７０】
ネットワーク管理サーバ装置３０は、デジタルサイネージ表示装置６０に広告主からの情報（サイネージ表示内容Ｍ１）を送信して設定する（Ｔ３１）。デジタルサイネージ表示装置６０は、次の情報が設定されるまで、このサイネージ表示内容Ｍ１を表示し続ける。
【００７１】
ネットワーク管理サーバ装置は、サイネージ表示内容Ｍ１に合わせた提供データＤ１を情報提供無線装置２０に送信して設定する（Ｔ３２）。この提供データＤ１には、広告主情報Ｋ１及び識別情報Ｉ１が含まれる。
【００７２】
情報提供無線装置２０は、提供データＤ１から得られた広告主情報Ｋ１のみを含むビーコン信号Ｂ１を携帯情報端末５０に向けて送信する（Ｔ３３）。
【００７３】
携帯情報端末５０は、ビーコンエリア内に入ると、ビーコン信号Ｂ１を受信する（Ｔ３４）。このビーコン信号Ｂ１に含まれる広告主情報Ｋ１がユーザ希望情報と一致する場合、携帯情報端末５０は、情報提供無線装置２０に識別情報送付要求を自動的に送信する（Ｔ３５）。なお、前記第２の通信手順と同様、ユーザの取得希望を得てから、識別情報送付要求を送信してもよい。情報提供無線装置２０は、この要求に応答し、携帯情報端末５０に識別情報Ｉを送信する（Ｔ３６）。
【００７４】
携帯情報端末５０は、ユーザ情報Ｕ、広告主情報Ｋ１及び識別情報Ｉ１を含む情報送付要求Ｒ１をネットワーク管理サーバ装置３０に送信する（Ｔ３７）。この後、通信手順は前記第１及び第２の通信手順と同様である。
【００７５】
即ち、ネットワーク管理サーバ装置３０は、広告主情報Ｋ１及び識別情報Ｉ１から提供情報Ｃ１を認識し、ユーザ情報Ｕに対応する携帯情報端末５０に提供情報Ｃ１を配信し、携帯情報端末５０は、この提供情報Ｃ１を受信する（Ｔ３８）。
【００７６】
この後、ネットワーク管理サーバ装置３０は、次の広告主からの情報であるサイネージ表示内容Ｍ２をデジタルサイネージ表示装置６０に送信して設定する（Ｔ３９）。ネットワーク管理サーバ装置３０は、提供情報を変更するために、提供データＤ２を情報提供無線装置２０に設定する（Ｔ４０）。情報提供無線装置２０は、提供データＤ２から得られた広告主情報Ｋ２及び識別情報Ｉ２を含むビーコン信号Ｂ２を携帯情報端末５０に向けて送信する（Ｔ４１）。以後、同様の動作が行われる。
【００７７】
このように、ユーザが、携帯情報端末５０に、予めユーザ希望情報として広告主情報Ｋのみを登録しておき、ビーコン信号Ｂに含まれる広告主情報Ｋがユーザ希望情報と一致する場合、携帯情報端末５０は、情報提供無線装置２０から識別情報Ｉを自動的に取得する。これにより、希望した広告主情報Ｋの提供情報Ｃだけを取得可能である。
【００７８】
（情報提供無線装置２０の動作）
図９は、情報提供無線装置２０の動作手順を示すフローチャートである。制御部２１は、通信ネットワーク７２を介してネットワーク管理サーバ装置３０から提供データＤを取得したか否かを判別する（Ｓ１）。この提供データＤには、広告主情報Ｋ及び識別情報Ｉが含まれる。
【００７９】
制御部２１は、提供データＤを取得していない場合、インターバル時間が経過したか否かを判別する（Ｓ２）。インターバル時間は、例えば数ｍｓｅｃ〜数ｓｅｃの間で１００ｍｓｅｃに設定される。インターバル時間が経過していない場合、制御部２１は、ステップＳ１の処理に戻る。
【００８０】
一方、インターバル時間が経過した場合、制御部２１は、ビーコン用のパケット信号を生成し（Ｓ３）、無線信号であるビーコン信号Ｂを携帯情報端末５０に向けて送信する（Ｓ４）。この後、制御部２１は、ステップＳ１の処理に戻る。
【００８１】
一方、ステップＳ１でネットワーク管理サーバ装置３０から提供データＤを取得した場合、制御部２１は、提供データＤに変更があるか否かを判別する（Ｓ５）。後述するように、提供データＤは、時間帯、天候、店舗の状況等によって変更される。提供データＤに変更が無い場合、制御部２１は、ステップＳ１の処理に戻る。
【００８２】
一方、ステップＳ５で提供データＤに変更がある場合、制御部２１は、変更された提供データＤが休止命令であるか否かを判別する（Ｓ６）。休止命令で無い場合、制御部２１は、変更された提供データＤをメモリ部２４に格納する（Ｓ７）。メモリ部２４には、提供データＤが蓄積される。そして、制御部２１はステップＳ１の処理に戻る。
【００８３】
一方、ステップＳ６で変更された提供データＤが休止命令であった場合、制御部２１は、ビーコン信号Ｂの送信を停止し、休止状態に入る（Ｓ８）。休止命令が発せられるタイミングとしては、広告情報配信システム１０におけるシステム終了時刻や、非常停止の操作が行われた時等が挙げられる。この後、制御部２１は本動作を終了する。
【００８４】
このように、休止命令があった場合、ネットワーク管理サーバ装置３０は、提供情報Ｃの配信を停止しているので、情報提供無線装置２０は、休止を最優先させて、携帯情報端末５０に向けたビーコン信号Ｂを停止する。これにより、必要以上にビーコン信号の送信を無くし、省電力化を図ることができる。なお、携帯情報端末５０では、ビーコン信号Ｂが受信できない場合、広告情報配信システム専用のアプリケーションのＰＯＰ（ポップアップ）画面は立ち上がらない。
【００８５】
（時間により提供データを変更する場合）
図１０は、時間による提供データＤの変更例を示す広告管理テーブル４１の登録内容を示す図である。広告管理テーブル４１は、提供データ生成部３１Ｂによって生成され、メモリ部４０に格納される。
【００８６】
この広告管理テーブル４１には、提供データ、時間、広告主情報、識別情報及び提供情報が登録されている。例えば、１列目には、時間帯６：００〜１０：００の提供データＤ１として、ビーコン信号に含まれる広告主情報Ｋ１である「広告主Ａ（コーヒーショップ）」と識別情報Ｉ１である「お得情報」が登録され、提供情報Ｃ１として「モーニングエッグサービス券」が登録されている。
【００８７】
また、２、３、４、５列目には、それぞれ時間が１０：００〜１４：００、１４：００〜１７：００、１７：００〜２０：００、２０：００〜２４：００である場合の提供データＤ２〜Ｄ５がそれぞれ登録されている。
【００８８】
また、６列目には、時間帯２４：００〜６：００の提供データＤ６として、広告主情報Ｋ６及び識別情報Ｉ６には、「休止」が登録され、提供情報Ｃ６は空白である。つまり、この時間帯においては、広告情報配信サービスは休止している。サービスが休止である場合、情報提供無線装置２０は、サービスの休止期間、ビーコン信号の送信を停止する。なお、ビーコン信号を停止する代わりに、情報提供無線装置２０から送信されるビーコン信号に、何も情報が含まれないようにしてもよい。このことは、以後の休止動作においても同様である。
【００８９】
図１１は、時間により提供データＤを変更する場合における広告情報配信システム１０の動作手順を示すタイミングチャートである。この広告情報配信システム１０では、時間帯によって提供データＤが変更される。
【００９０】
時刻６：００になると、まず、ネットワーク管理サーバ装置３０は、提供データＤ１を情報提供無線装置２０に送信して設定する（Ｔ５１）。情報提供無線装置２０は、提供データＤ１の広告主情報Ｋ１（ここでは、広告主Ａ（コーヒーショップ）及び識別情報Ｉ１（お得情報）を含むビーコンＢ１信号を携帯情報端末５０に向けて送信する（Ｔ５２）。
【００９１】
携帯情報端末５０は、ビーコンエリア内に入り、ビーコンＢ１信号を受信すると（Ｔ５３）、ビーコンＢ１信号に含まれる広告主情報Ｋ１及び識別情報Ｉ１を用いて情報送付要求Ｒ１をネットワーク管理サーバ装置３０に送信する（Ｔ５４）。ネットワーク管理サーバ装置３０は、広告管理テーブル４１を参照し、広告主情報Ｋ１及び識別情報Ｉ１に対応する提供情報Ｃ１を携帯情報端末５０に送信し、携帯情報端末５０は、この提供情報Ｃ１を受信する（Ｔ５５）。
【００９２】
その後、時刻が１０：００になると、ネットワーク管理サーバ装置３０は、提供データＤ２を情報提供無線装置２０に送信して設定する（Ｔ５６）。情報提供無線装置２０は、提供データＤ２の広告主情報Ｋ２（ここでは、広告主Ｂ（レストラン）及び識別情報Ｉ２（お得情報）を含むビーコンＢ２信号を携帯情報端末５０に向けて送信する（Ｔ５７）。以後、同様の動作が繰り返される。
【００９３】
そして、時刻２４：００になると、ネットワーク管理サーバ装置３０は、提供データＤ６として、休止命令を情報提供無線装置２０に送信する（Ｔ５８）。情報提供無線装置２０は、休止命令を受信すると、ビーコン信号の送信を停止する。
【００９４】
なお、ここでは、第１の通信手順に従って提供データＤの変更が行われたが、第１の通信手順の代わりに、第２の通信手順あるいは第３の通信手順が用いられてもよい。このことは、以後の提供データＤの変更動作においても同様である。
【００９５】
これにより、時間によって配信される提供情報が切り替わるので、広告主及びユーザの双方にとって提供情報の配信が分かり易くなる。
【００９６】
（天候により提供データを変更する場合）
図１２は、天候による提供データＤの変更例を示す広告管理テーブル４２の登録内容を示す図である。この広告管理テーブル４２には、提供データ、天候、広告主情報、識別情報及び提供情報が登録されている。例えば、１列目には、天候が猛暑日である場合の提供データＤ１として、ビーコン信号Ｂ１に含まれる広告主情報Ｋ１である「広告主Ａ（ドラッグストア）」と識別情報Ｉ１である「お得情報」が登録され、提供情報Ｃ１として「ドリンク購入サービス券」が登録されている。
【００９７】
また、２、３、４列目には、それぞれ天候が快晴、曇り、雨である場合の提供データＤ２、Ｄ３、Ｄ４が登録されている。
【００９８】
また、５列目には、天候が「サービス停止」である場合の提供データＤ５として、広告主情報Ｋ５及び識別情報Ｉ５に「休止」が登録され、提供情報Ｃ１は空白である。サービス停止となる天候として、台風、竜巻、大雨等の荒れた天気が挙げられる。
【００９９】
広告情報配信サービスが休止である場合、情報提供無線装置２０は、サービスの休止期間、ビーコン信号の送信を停止する。
【０１００】
図１３は、天候により提供データＤを変更する場合における広告情報配信システム１０の動作手順を示すタイミングチャートである。情報提供無線装置２０が設置される場所の天候のデータは、ネットワーク管理サーバ装置３０が気象庁の外部データベースから気象データを取得することで得てもよいし、管理者がネットワーク管理サーバ装置３０に対し、お天気データを入力することで得てもよい。
【０１０１】
天候が猛暑日である場合、まず、ネットワーク管理サーバ装置３０は、提供データＤ１を情報提供無線装置２０に送信して設定する（Ｔ６１）。情報提供無線装置２０は、提供データＤ１の広告主情報Ｋ１（ここでは、広告主Ａ（ドラッグストア）及び識別情報Ｉ１（お得情報）を含むビーコンＢ１信号を携帯情報端末５０に送信する（Ｔ６２）。
【０１０２】
携帯情報端末５０は、ビーコンエリアに入り、ビーコンＢ１信号を受信すると（Ｔ６３）、ビーコンＢ１信号に含まれる広告主情報Ｋ１及び識別情報Ｉ１を用いて情報送付要求Ｒ１をネットワーク管理サーバ装置３０に送信する（Ｔ６４）。ネットワーク管理サーバ装置３０は、広告管理テーブル４２を参照し、広告主情報Ｋ１及び識別情報Ｉ１に対応する提供情報Ｃ１を携帯情報端末５０に送信し、携帯情報端末５０は、この提供情報Ｃ１を受信する（Ｔ６５）。
【０１０３】
その後（後日）、天候が快晴になると、ネットワーク管理サーバ装置３０は、提供データＤ２を情報提供無線装置２０に送信して設定する（Ｔ６６）。情報提供無線装置２０は、提供データＤ２の広告主情報Ｋ２（ここでは、広告主Ｂ（旅行代理店）及び識別情報Ｉ２（商品情報）を含むビーコンＢ２信号を携帯情報端末５０に向けて送信する（Ｔ６７）。以後、同様の動作が繰り返される。
【０１０４】
そして、天候がサービス停止になると、ネットワーク管理サーバ装置３０は、提供データＤ５として、休止命令を情報提供無線装置２０に送信する（Ｔ６８）。情報提供無線装置２０は、休止命令を受信すると、ビーコン信号の送信を停止する。
【０１０５】
これにより、天候に合わせた提供情報Ｃを送信することが可能である。従って、天候によって消費行動を変更しようと考えるユーザの携帯情報端末に適切な提供情報を送信することができる。
【０１０６】
（店舗の状況により提供データを変更する場合）
図１４は、店舗の状況による提供データＤの変更例を示す広告管理テーブル４３の登録内容を示す図である。この広告管理テーブル４３には、提供データ、店舗の状況、広告主情報、識別情報及び提供情報が登録されている。例えば、１列目には、店舗の状況が平日の昼である場合の提供データＤ１として、ビーコン信号Ｂ１に含まれる広告主情報Ｋ１である「広告主Ａ（店舗情報）」と識別情報Ｉ１である「お得情報」が登録され、提供情報Ｃ１として「来店ポイント付与」が登録されている。
【０１０７】
また、２、３、４列目には、それぞれ店舗の状況が平日の夜、休日（土日祝）の昼、休日（土日祝）の夜である場合の提供データＤ２、Ｄ３、Ｄ４が登録されている。
【０１０８】
また、５列目には、店舗の状況が繁盛時である場合の提供データＤ５として、広告主情報Ｋ１である「広告主Ａ（店舗情報）」と識別情報Ｉ１である「インターネット販売情報」が登録されている。提供情報Ｃ５には、「ネット購入サイト情報」が登録されている。また、店舗の状況が繁盛時であることは、店舗の店員がＰＣから入力操作を行って、ネットワーク管理サーバ装置３０に通知することで設定される。これにより、リアル店舗では、お客様に対応できない場合、ネット決済にお客様を誘導することができる。
【０１０９】
また、６列目には、店舗の状況が「サービス停止」である場合が示される。広告情報配信サービスが休止である場合、情報提供無線装置２０は、サービスの休止期間、ビーコン信号の送信を停止する。
【０１１０】
図１５は、店舗の状況により提供データＤを変更する場合における広告情報配信システム１０の動作手順を示すタイミングチャートである。店舗の状況によって提供データＤが変更される例である。また、店舗が繁盛時であることの判断は、前述したように、ネットワーク管理サーバ装置３０に接続される店舗のＰＣに、店員が入力操作することで設定される。これにより、繁盛時に合わせた提供情報Ｃを送信することが可能である。
【０１１１】
まず、店舗の状況が平日の昼である場合、ネットワーク管理サーバ装置３０は、提供データＤ１を情報提供無線装置２０に送信して設定する（Ｔ７１）。情報提供無線装置２０は、提供データＤ１の広告主情報Ｋ１（ここでは、広告主Ａ（店舗情報）及び識別情報Ｉ１（お得情報）を含むビーコンＢ１信号を携帯情報端末５０に向けて送信する（Ｔ７２）。
【０１１２】
携帯情報端末５０は、ビーコンエリアに入り、ビーコンＢ１信号を受信すると（Ｔ７３）、ビーコンＢ１信号に含まれる広告主情報Ｋ１及び識別情報Ｉ１を用いて情報送付要求Ｒ１をネットワーク管理サーバ装置３０に送信する（Ｔ７４）。ネットワーク管理サーバ装置３０は、広告管理テーブル４３を参照し、広告主情報Ｋ１及び識別情報Ｉ１に対応する提供情報Ｃ１を携帯情報端末５０に送信し、携帯情報端末５０は、この提供情報Ｃ１を受信する（Ｔ７５）。
【０１１３】
その後、店舗の状況が平日の夜になると、ネットワーク管理サーバ装置３０は、提供データＤ２を情報提供無線装置２０に送信して設定する（Ｔ７６）。情報提供無線装置２０は、提供データＤ２の広告主情報Ｋ２（ここでは、広告主Ａ（店舗情報）及び識別情報Ｉ２（お得情報）を含むビーコンＢ２信号を携帯情報端末５０に向けて送信する（Ｔ７７）。以後、同様の動作が繰り返される。
【０１１４】
また、店舗の状況が繁盛時になると、ネットワーク管理サーバ装置３０は、提供データＤ５を情報提供無線装置２０に送信して設定する（Ｔ７８）。情報提供無線装置２０は、提供データＤ５の広告主情報Ｋ５（ここでは、広告主Ａ（店舗情報）及び識別情報Ｉ５（インターネット販売情報）を含むビーコンＢ５信号を携帯情報端末５０に向けて送信する（Ｔ７９）。これにより、店舗の繁盛時には、お客様をインターネット販売（ネット決済）に誘導することができ、店舗内の混雑の緩和に役立つ。
【０１１５】
そして、店舗の状況がサービス停止になると、ネットワーク管理サーバ装置３０は、提供データＤ６として、休止命令を情報提供無線装置２０に送信する（Ｔ８０）。情報提供無線装置２０は、休止命令を受信すると、サービスを停止し、ビーコン信号の送信を停止する。
【０１１６】
（時間により複数の広告主情報Ｋに提供データＤを変更する場合）
図１６は、時間により複数の広告主情報Ｋを提供する例を示す広告管理テーブル４４の登録内容を示す図である。この広告管理テーブル４４には、提供データ、時間、広告主情報、識別情報及び提供情報が登録されている。同一の時間帯に２つの広告主情報Ｋ（時間帯１７：００〜２０：００における広告主Ｂと広告主Ｃの情報）がある場合である。
【０１１７】
例えば、３列目には、時間帯１７：００〜２０：００である場合の提供データＤ３として、ビーコン信号Ｂ３に含まれる広告主情報Ｋ３「広告主Ｂ（アパレルショップ）」と識別情報Ｉ３「お得情報」が登録され、提供情報Ｃ３として「レディースものクーポン券：帰宅女性対象」が登録されている。
【０１１８】
４列目には、同一の時間帯の提供データＤ４として、ビーコン信号Ｂ４に含まれる広告主情報Ｋ４「広告主Ｃ（チェーン居酒屋）」と識別情報Ｉ４「お得情報」が登録され、提供情報Ｃ４として「飲み物割引券：帰宅男性対象」が登録されている。
【０１１９】
なお、２、３列目には、提供データＤ２、Ｄ３として、同じ広告主情報Ｋ２，Ｋ３「広告主Ｂ（アパレルショップ）」で異なる識別情報Ｉ２，Ｉ３である「商品情報」、「お得情報」が登録されている。また、４、５列目には、提供データＤ４、Ｄ５として、同じ広告主情報Ｋ４，Ｋ５「広告主Ｃ（チェーン居酒屋）」かつ同じ識別情報Ｉ４，Ｉ５「お得情報」で異なる提供情報Ｃ４，Ｃ５である「飲み物割引券：帰宅男性対象」、「飲食代割引券」が登録されている。
【０１２０】
図１７は、時間により複数の広告主情報Ｋを提供する際の提供データＤを変更する場合における広告情報配信システム１０の動作手順を示すタイミングチャートである。同一の時間帯に複数の広告主情報Ｋがある場合に提供データＤが変更される例である。
【０１２１】
時刻が１７：００になると、ネットワーク管理サーバ装置３０は、提供データＤ３、Ｄ４を情報提供無線装置２０に送信して設定する（Ｔ８４）。情報提供無線装置２０は、提供データＤ３の広告主情報Ｋ３（ここでは、広告主Ｂ（アパレルショップ）及び識別情報Ｉ３（お得情報）を含むビーコンＢ３信号を携帯情報端末５０に向けて送信する（Ｔ８５）。
【０１２２】
更に、情報提供無線装置２０は、前述したインターバル時間（図９のＳ２参照）が経過すると、提供データＤ４の広告主情報Ｋ４（ここでは、広告主Ｃ（チェーン居酒屋）及び識別情報Ｉ４（お得情報）を含むビーコンＢ４信号を携帯情報端末５０に向けて送信する（Ｔ８６）。このように、情報提供無線装置２０は、ビーコン信号Ｂ３とビーコン信号Ｂ４を交互に一定間隔で携帯情報端末５０に送信する動作を繰り返す。
【０１２３】
携帯情報端末５０は、ビーコンエリアに入り、ビーコンＢ３信号を受信すると、ビーコンＢ３信号に含まれる広告主情報Ｋ３及び識別情報Ｉ３を用いて情報送付要求Ｒ３をネットワーク管理サーバ装置３０に送信する（Ｔ８７）。ネットワーク管理サーバ装置３０は、広告管理テーブル４４を参照し、広告主情報Ｋ３及び識別情報Ｉ３に対応する提供情報Ｃ３を携帯情報端末５０に送信し、携帯情報端末５０は、この提供情報Ｃ３を受信する（Ｔ８８）。
【０１２４】
一方、携帯情報端末５０は、ビーコンエリアに入り、ビーコンＢ４信号を受信すると、ビーコンＢ４信号に含まれる広告主情報Ｋ４及び識別情報Ｉ４を用いて情報送付要求Ｒ４をネットワーク管理サーバ装置３０に送信する（Ｔ８９）。ネットワーク管理サーバ装置３０は、広告管理テーブル４４を参照し、広告主情報Ｋ４及び識別情報Ｉ４に対応する提供情報Ｃ４を携帯情報端末５０に送信し、携帯情報端末５０は、この提供情報Ｃ４を受信する（Ｔ９０）。
【０１２５】
その後、時刻が２０：００になると、ネットワーク管理サーバ装置３０は、提供データＤ５を情報提供無線装置２０に送信して設定する（Ｔ９１）。情報提供無線装置２０は、提供データＤ５の広告主情報Ｋ５（ここでは、広告主Ｃ（チェーン居酒屋）及び識別情報Ｉ５（お得情報）を含むビーコンＢ５信号を携帯情報端末５０に向けて送信する（Ｔ９２）。
【０１２６】
そして、時刻が２４：００になると、ネットワーク管理サーバ装置３０は、提供データＤ６として、休止命令を情報提供無線装置２０に送信する（Ｔ９３）。情報提供無線装置２０は、休止命令を受信すると、ビーコン信号の送信を停止する。
【０１２７】
このように、同一の時間帯に複数の広告主情報に対応する提供情報を配信することができ、ユーザは多くの提供情報あるいは希望する情報を取得することができ、利便性が向上する。
【０１２８】
（サイネージ表示内容に応じて提供データを変更する場合）
図１８は、デジタルサイネージ表示装置６０の表示内容に応じた提供データＤの変更例を示す広告管理テーブル４５の登録内容を示す図である。この広告管理テーブル４５には、提供データ、サイネージ表示内容、広告主情報、識別情報及び提供情報が登録されている。例えば、１列目には、サイネージ表示内容Ｍ１が表示内容ＭＡである場合の提供データＤ１として、ビーコン信号Ｂ１に含まれる「広告主Ａ（行楽施設）」と「イベント情報」が登録され、提供情報として「行楽施設イベント情報：遊園地など」が登録されている。
【０１２９】
また、２列目には、サイネージ表示内容Ｍ２が表示内容ＭＢである場合の提供データＤ２として、ビーコン信号Ｂ２に含まれる「広告主Ｂ（観光地Ａ）」と「観光案内情報」が登録され、提供情報として「観光地Ａの見所案内」が登録されている。
【０１３０】
また、３列目には、サイネージ表示内容Ｍ３が表示内容ＭＣである場合の提供データＤ３として、ビーコン信号Ｂ３に含まれる「広告主Ｃ（観光地Ｂ）」と「観光案内情報」が登録され、提供情報Ｃ３として「観光地Ｂの見所案内、博物館無料券」が登録されている。
【０１３１】
また、４列目には、サイネージ表示内容Ｍ４が表示内容ＭＤである場合の提供データＤ４として、ビーコン信号Ｂ４に含まれる「広告主Ｄ（商業施設）」と「イベント情報」が登録され、提供情報Ｃ４として「セール開催案内」が登録されている。
【０１３２】
また、５列目には、サイネージ表示内容Ｍ５が「サービス停止」である場合の提供データＤ５として、広告主情報Ｋ５及び識別情報Ｉ５のいずれにも「休止」が登録され、提供情報Ｃ５は空白である。サービスの休止期間は、情報提供無線装置２０は、ビーコン信号の送信を停止する。
【０１３３】
図１９は、デジタルサイネージ表示装置６０のサイネージ表示内容Ｍに応じて提供データＤを変更する場合における広告情報配信システム１０の動作手順を示すタイミングチャートである。サイネージ表示内容Ｍに応じて提供データが変更される例である。
【０１３４】
ネットワーク管理サーバ装置３０は、広告情報ＤＢ３８に蓄積されているサイネージ表示内容（単に、表示内容と表記）Ｍ１をデジタルサイネージ表示装置６０に送信して設定する（Ｔ１０１）。デジタルサイネージ表示装置６０は、サイネージ表示内容Ｍ１を受信すると、表示部６２の画面に表示する。
【０１３５】
続いて、ネットワーク管理サーバ装置３０は、広告管理テーブル４５を参照し、サイネージ表示内容Ｍ１に対応する提供データＤ１を情報提供無線装置２０に送信して設定する（Ｔ１０２）。情報提供無線装置２０は、提供データＤ１の広告主情報Ｋ１（ここでは、広告主Ａ（行楽施設）及び識別情報Ｉ１（イベント情報）を含むビーコンＢ１信号を携帯情報端末５０に向けて送信する（Ｔ１０３）。
【０１３６】
携帯情報端末５０は、ビーコンエリアに入り、ビーコンＢ１信号を受信すると、ビーコンＢ１信号に含まれる広告主情報Ｋ１及び識別情報Ｉ１を用いて情報送付要求Ｒ１をネットワーク管理サーバ装置３０に送信する（Ｔ１０４）。ネットワーク管理サーバ装置３０は、広告管理テーブル４５を参照し、広告主情報Ｋ１及び識別情報Ｉ１に対応する提供情報Ｃ１を携帯情報端末５０に送信し、携帯情報端末５０は、この提供情報Ｃ１を受信する（Ｔ１０５）。
【０１３７】
そして、ネットワーク管理サーバ装置３０は、広告情報ＤＢ３８に蓄積されているサイネージ表示内容Ｍ２をデジタルサイネージ表示装置６０に送信して設定する（Ｔ１０６）。デジタルサイネージ表示装置６０は、サイネージ表示内容Ｍ２を受信すると、表示部６２の画面に表示する。
【０１３８】
続いて、ネットワーク管理サーバ装置３０は、広告管理テーブル４５を参照し、サイネージ表示内容Ｍ２に対応する提供データＤ２を情報提供無線装置２０に送信して設定する（Ｔ１０７）。情報提供無線装置２０は、提供データＤ２の広告主情報Ｋ２（ここでは、広告主Ｂ（観光地Ａ）及び識別情報Ｉ２（観光案内情報）を含むビーコンＢ２信号を携帯情報端末５０に向けて送信する（Ｔ１０８）。以後、同様の動作が繰り返される。
【０１３９】
そして、デジタルサイネージ表示サービスがサービス停止になると、ネットワーク管理サーバ装置３０は、提供データＤ５として、休止命令を情報提供無線装置２０に送信する（Ｔ１０９）。情報提供無線装置２０は、休止命令を受信すると、ビーコン信号の送信を停止する。
【０１４０】
このように、広告管理テーブル４５に示される提供データＤ１〜Ｄ４の送信が順番に繰り返され、デジタルサイネージ表示装置６０のサイネージ表示内容Ｍが切り替わると、それに応じて提供データＤも切り替わる。その後、提供データＤ５の休止命令が送信される。
【０１４１】
これにより、デジタルサイネージ表示装置に表示された内容を見て、情報を欲しくなったユーザを増やすことができ、また、そのユーザの携帯情報端末に効果的に提供情報を送信することができる。
【０１４２】
（時間によりサイネージ表示内容と提供データを変更する場合）
図２０は、時間によるデジタルサイネージ表示装置６０の表示内容と提供データを変更する例を示す広告管理テーブル４６の登録内容を示す図である。この広告管理テーブル４６には、提供データ、時間、サイネージ表示内容、広告主情報、識別情報及び提供情報が登録されている。例えば、１列目には、時間帯６：００〜１０：００におけるサイネージ表示内容Ｍ１が表示内容ＭＡである場合の提供データＤ１として、ビーコン信号Ｂ１に含まれる広告主情報Ｋ１「広告主Ａ（飲食店Ａ）」と識別情報Ｉ１「お得情報」が登録され、提供情報Ｃ１として「朝食メニュー紹介とクーポン券」が登録されている。
【０１４３】
また、２列目には、時間帯１０：００〜１５：００におけるサイネージ表示内容Ｍ２が表示内容ＭＢである場合の提供データＤ２として、ビーコン信号Ｂ２に含まれる広告主情報Ｋ２「広告主Ｂ（飲食店Ｂ）」と識別情報Ｉ２「お得情報」が登録され、提供情報Ｃ２として「ランチメニュー紹介とクーポン券」が登録されている。
【０１４４】
また、３列目には、時間帯１５：００〜１７：００におけるサイネージ表示内容Ｍ３が表示内容ＭＣである場合の提供データＤ３として、ビーコン信号Ｂ３に含まれる広告主情報Ｋ３「広告主Ｃ（商業施設）」と識別情報Ｉ３「イベント情報」が登録され、提供情報Ｃ３として「展示開催案内」が登録されている。
【０１４５】
また、４列目には、時間帯１７：００〜２４：００におけるサイネージ表示内容Ｍ４が表示内容ＭＤである場合の提供データＤ４として、ビーコン信号Ｂ４に含まれる広告主情報Ｋ４「広告主Ｄ（飲食店Ｃ）」と識別情報Ｉ４「お得情報」が登録され、提供情報Ｃ４として「食事メニュー紹介とクーポン券」が登録されている。
【０１４６】
また、５列目には、時間帯２４：００〜６：００におけるサイネージ表示内容Ｍ５が「サービス停止」である場合の提供データＤ５として、広告主情報Ｋ５及び識別情報Ｉ５のいずれにも「休止」が登録され、提供情報Ｃ５は空白である。
【０１４７】
図２１は、時間によりサイネージ表示内容Ｍと提供データＤを変更する場合における広告情報配信システム１０の動作手順を示すタイミングチャートである。時間帯とサイネージ表示内容Ｍとの組み合わせに応じて、提供データＤが変更される例である。
【０１４８】
ネットワーク管理サーバ装置３０は、時刻が６：００になると、広告情報ＤＢ３８に蓄積されているサイネージ表示内容Ｍ１をデジタルサイネージ表示装置６０に送信して設定する（Ｔ１１１）。デジタルサイネージ表示装置６０は、サイネージ表示内容Ｍ１を受信すると、表示部６２の画面に表示する。
【０１４９】
続いて、ネットワーク管理サーバ装置３０は、広告管理テーブル４６を参照し、サイネージ表示内容Ｍ１に対応する提供データＤ１を情報提供無線装置２０に送信して設定する（Ｔ１１２）。情報提供無線装置２０は、提供データＤ１の広告主情報Ｋ１（ここでは、広告主Ａ（広告主Ａ）及び識別情報Ｉ１（お得情報））を含むビーコンＢ１信号を携帯情報端末５０に向けて送信する（Ｔ１１３）。
【０１５０】
携帯情報端末５０は、ビーコンエリアに入り、ビーコンＢ１信号を受信すると、ビーコンＢ１信号に含まれる広告主情報Ｋ１及び識別情報Ｉ１を用いて情報送付要求Ｒ１をネットワーク管理サーバ装置３０に送信する（Ｔ１１４）。ネットワーク管理サーバ装置３０は、広告管理テーブル４６を参照し、広告主情報Ｋ１及び識別情報Ｉ１に対応する提供情報Ｃ１を携帯情報端末５０に送信し、携帯情報端末５０は、この提供情報Ｃ１を受信する（Ｔ１１５）。
【０１５１】
その後、時刻が１０：００になると、ネットワーク管理サーバ装置３０は、広告情報ＤＢ３８に蓄積されているサイネージ表示内容Ｍ２をデジタルサイネージ表示装置６０に送信して設定する（Ｔ１１６）。デジタルサイネージ表示装置６０は、サイネージ表示内容Ｍ２を受信すると、表示部６２の画面に表示する。
【０１５２】
続いて、ネットワーク管理サーバ装置３０は、広告管理テーブル４６を参照し、サイネージ表示内容Ｍ２に対応する提供データＤ２を情報提供無線装置２０に送信して設定する（Ｔ１１７）。情報提供無線装置２０は、提供データＤ２の広告主情報Ｋ２（ここでは、広告主Ｂ（飲食店Ｂ）及び識別情報Ｉ２（お得情報））を含むビーコンＢ２信号を携帯情報端末５０に向けて送信する（Ｔ１１８）。以後、同様の動作が繰り返される。
【０１５３】
そして、サイネージ表示内容Ｍがサービス停止になると、ネットワーク管理サーバ装置３０は、提供データＤ５として、休止命令を情報提供無線装置２０に送信する（Ｔ１１９）。情報提供無線装置２０は、休止命令を受信すると、ビーコン信号の送信を停止する。
【０１５４】
このように、時刻６：００〜２４：００までのサイネージ表示内容Ｍを用いた広告情報配信サービスが行われる。一方、時刻０：００〜６：００の間、このサービスは休止する。これにより、時間帯によってデジタルサイネージ表示装置に表示される内容が切り替わるとともに、配信される提供情報も切り替わるので、広告主及びユーザの双方にとって提供情報の配信が分かり易くなる。
【０１５５】
以上により、第１の実施形態の広告情報配信システムでは、さまざまな条件に応じて配信する提供情報を切り替えることができ、しかも、ユーザが希望する提供情報だけを配信することができる。これにより、広告情報配信システムは、ユーザが必要なあるいは興味ある情報を適切に取得できる。
【０１５６】
なお、前述した天候とサイネージ表示内容との組み合わせに応じて、提供データが変更されてもよい。また、店舗の状況とサイネージ表示内容との組み合わせに応じて、提供データが変更されてもよい。更には、時間による複数の広告主とサイネージ表示内容との組み合わせに応じて、提供データが変更されてもよい。
【０１５７】
（第２の実施形態）
前述した第１の実施形態では、ネットワーク管理サーバ装置が情報提供無線装置に送信する提供データを、所定の条件に応じて切り替えていたが、第２の実施形態では、ネットワーク管理サーバ装置が情報提供装置に提供データを送信することなく、ユーザの要求に応じた提供情報を携帯情報端末に直接送信する場合を示す。
【０１５８】
また、第２の実施形態の広告情報配信システムは第１の実施形態とほぼ同一の構成を有する。前述した第１の実施形態と同一の構成要素については同一の符号を用いることで、その説明を省略する。第２の実施形態では、デジタルサイネージ表示装置６０内の操作部６３及び表示部６２で構成されるタッチパネル６８を用いて、ユーザは所望の情報を選択する。
【０１５９】
また、ネットワーク管理サーバ装置３０は、ユーザが選択した所望の情報を表す選択情報Ｌと提供情報Ｃとが対応付けられた広告管理テーブル４７（図２５参照）をメモリ部４０に記憶する。
【０１６０】
第２の実施形態の広告情報配信システム１０Ａでは、ネットワーク管理サーバ装置３０に対する情報送付要求Ｒは、３つの通信手順を用いて行われる。始めに、３つの通信手順（第４の通信手順、第５の通信手順、第６の通信手順）について説明する。
【０１６１】
（第４の通信手順）
図２２は、第２の実施形態の広告情報配信システム１０Ａにおける第４の通信手順を示すタイミングチャートである。
【０１６２】
ユーザは、携帯情報端末５０に、予めユーザが希望する情報（ユーザ希望情報）を設定して登録しておく（Ｔ１２０）。このユーザ希望情報には、ユーザの選択情報Ｌを取得するために、リクエスト情報Ｑを取得することが含まれる。
【０１６３】
ネットワーク管理サーバ装置３０は、デジタルサイネージ表示装置６０に広告主からの広告情報（サイネージ表示内容Ｍ１）を送信して設定する（Ｔ１２１）。デジタルサイネージ表示装置６０は、サイネージ表示内容Ｍ１を受信し、タッチパネル６８に表示する。サイネージ表示内容Ｍ１には、ユーザが選択可能な選択情報Ｌ１に対応するボタン（アイコン）が含まれる。タッチパネル６８は、次の広告情報が設定されるまで、このサイネージ表示内容Ｍ１を表示し続ける。
【０１６４】
デジタルサイネージ表示装置６０は、ユーザがタッチパネル６８に表示されたボタンをタッチ入力することで、欲しい情報を選択すると（Ｔ１２２）、選択された情報の内容に応じた選択情報Ｌ１及びリクエスト情報Ｑを情報提供無線装置２０に送信して設定する（Ｔ１２３）。
【０１６５】
情報提供無線装置２０は、リクエスト情報Ｑ及び選択情報Ｌ１を含むビーコン信号Ｂ１を一定時間、携帯情報端末５０に向けて送信する（Ｔ１２４）。一定時間が経過すると、情報提供無線装置２０は、ビーコン信号Ｂ１の送信を停止する。
【０１６６】
携帯情報端末５０は、ビーコン信号Ｂ１を受信する（Ｔ１２５）。ここで、携帯情報端末５０は、ビーコン信号Ｂ１のリクエスト情報Ｑを取得する設定になっているので、リクエスト情報Ｑ及び選択情報Ｌ１を受信する。そして、携帯情報端末５０は、ユーザ情報Ｕ及び選択情報Ｌ１を含む情報送付要求Ｒ１をネットワーク管理サーバ装置３０に送信する（Ｔ１２６）。
【０１６７】
ネットワーク管理サーバ装置３０は、選択情報Ｌ１に対応する提供情報Ｃ１を送信し、携帯情報端末５０は、この提供情報Ｃ１を受信する（Ｔ１２７）。
【０１６８】
この後、ネットワーク管理サーバ装置３０は、提供情報を変更するために、次の広告主からの情報（サイネージ表示内容Ｍ２）をデジタルサイネージ表示装置６０に送信して設定する（Ｔ１２８）。以後、同様の動作が行われる。
【０１６９】
（第５の通信手順）
図２３は、広告情報配信システム１０Ａにおける第５の通信手順を示すタイミングチャートである。ユーザは、携帯情報端末５０に、ユーザが希望する情報を設定して登録する（Ｔ１３０）。このユーザ希望情報には、ユーザの選択情報Ｌを取得するためのリクエスト情報Ｑが含まれる。
【０１７０】
ネットワーク管理サーバ装置３０は、デジタルサイネージ表示装置６０に広告主情報Ｋ１を含む広告情報（サイネージ表示内容Ｍ１）を送信して設定する（Ｔ１３１）。デジタルサイネージ表示装置６０のタッチパネル６８は、広告主情報Ｋ１を含むサイネージ表示内容Ｍ１を表示する。サイネージ表示内容Ｍ１には、ユーザが選択可能な選択情報Ｌに対応するボタン（アイコン）が含まれる。
【０１７１】
デジタルサイネージ表示装置６０は、ユーザがタッチパネル６８に表示されたボタンをタッチ入力することで、欲しい情報を選択すると（Ｔ１３２）、選択された内容に応じた広告主情報Ｋ１、リクエスト情報Ｑ及び選択情報Ｌ１を、情報提供無線装置２０に送信して設定する（Ｔ１３３）。
【０１７２】
情報提供無線装置２０は、広告主情報Ｋ１及びリクエスト情報Ｑを含むビーコン信号Ｂ１を一定時間、携帯情報端末５０に向けて送信する（Ｔ１３４）。一定時間が経過すると、情報提供無線装置２０は、ビーコン信号Ｂ１の送信を停止する。
【０１７３】
携帯情報端末５０は、ビーコン信号Ｂ１を受信する（Ｔ１３５）。ここで、携帯情報端末５０は、ビーコン信号Ｂ１のリクエスト情報Ｑを取得する設定になっているので、リクエスト情報Ｑ及び広告主情報Ｋ１を受信する。
【０１７４】
携帯情報端末５０は、広告情報配信システム専用のアプリケーションのＰＯＰ（ポップアップ）画面を立ち上げ、データ取得希望か否かを問い合わせるＹＥＳ／ＮＯボタンを表示する。そして、ＹＥＳボタン（取得ボタン）がタッチ入力された場合、つまり、ユーザが広告主情報Ｋ１を見て情報を取得したい場合、タッチパネル６８から入力操作を行うことで、携帯情報端末５０は、情報提供無線装置２０にデータ送付を要求する（Ｔ１３６）。情報提供無線装置２０は、この要求への応答として、選択情報Ｌ１を携帯情報端末５０に送信する（Ｔ１３７）。
【０１７５】
携帯情報端末５０は、ユーザ情報Ｕ及び選択情報Ｌ１を含む情報送付要求Ｒ１をネットワーク管理サーバ装置３０に送信する（Ｔ１３８）。
【０１７６】
ネットワーク管理サーバ装置３０は、選択情報Ｌ１に対応する提供情報Ｃ１を携帯情報端末５０に送信し、携帯情報端末５０は、この提供情報Ｃ１を受信する（Ｔ１３９）。
【０１７７】
この後、ネットワーク管理サーバ装置３０は、提供情報を変更するために、次の広告主情報Ｋ２の広告情報（サイネージ表示内容Ｍ２）をデジタルサイネージ表示装置６０に送信して設定する（Ｔ１４０）。以後、同様の動作が行われる。
【０１７８】
（第６の通信手順）
図２４は、広告情報配信システム１０Ａにおける第６の通信手順を示すタイミングチャートである。ユーザは、携帯情報端末５０に、ユーザが希望する情報を設定して登録する（Ｔ１４０）。このユーザ希望情報には、ユーザの選択情報Ｌを取得するためのリクエスト情報Ｑ及び広告主情報Ｋが含まれる。
【０１７９】
ネットワーク管理サーバ装置３０は、デジタルサイネージ表示装置６０に広告主情報Ｋ１を含む広告情報（サイネージ表示内容Ｍ１）を送信して設定する（Ｔ１４１）。デジタルサイネージ表示装置６０のタッチパネル６８は、広告主情報Ｋ１を含むサイネージ表示内容Ｍ１を表示する。サイネージ表示内容Ｍ１には、ユーザが選択可能な選択情報に対応するボタン（アイコン）が含まれる。
【０１８０】
デジタルサイネージ表示装置６０は、ユーザがタッチパネル６８に表示されたボタンをタッチ入力することで、欲しい情報を選択すると（Ｔ１４２）、選択された内容に応じた広告主情報Ｋ１、リクエスト情報Ｑ及び選択情報Ｌ１を、情報提供無線装置２０に送信して設定する（Ｔ１４３）。
【０１８１】
情報提供無線装置２０は、広告主情報Ｋ１及びリクエスト情報を含むビーコン信号Ｂ１を一定時間、携帯情報端末５０に送信する（Ｔ１４４）。一定時間が経過すると、情報提供無線装置２０は、ビーコン信号Ｂ１の送信を停止する。
【０１８２】
携帯情報端末５０は、ビーコン信号Ｂ１を受信する（Ｔ１４５）。ここで、携帯情報端末５０は、ビーコン信号Ｂ１のリクエスト情報Ｑを取得する設定になっているので、広告主情報Ｋ１を受信する。そして、携帯情報端末５０は、取得した広告主情報Ｋ１と予め登録された広告主情報Ｋ１とが一致する場合、情報提供無線装置２０に選択情報送付を自動的に要求する（Ｔ１４６）。情報提供無線装置２０は、この要求への応答として、選択情報Ｌ１を携帯情報端末５０に送信する（Ｔ１４７）。
【０１８３】
携帯情報端末５０は、ユーザ情報Ｕ及び選択情報Ｌ１を含む情報送付要求Ｒ１をネットワーク管理サーバ装置３０に送信する（Ｔ１４８）。
【０１８４】
ネットワーク管理サーバ装置３０は、選択情報Ｌ１に対応する提供情報Ｃ１を携帯情報端末５０に送信し、携帯情報端末５０は、この提供情報Ｃ１を受信する（Ｔ１４９）。
【０１８５】
この後、ネットワーク管理サーバ装置３０は、提供情報を変更するために、次の広告主情報Ｋ２の広告情報（サイネージ表示内容Ｍ２）をデジタルサイネージ表示装置６０に送信して設定する（Ｔ１５０）。以後、同様の動作が行われる。
【０１８６】
（タッチパネル方式のデジタルサイネージ表示装置６０における選択情報に応じて提供情報を変更する場合）
図２５は、タッチパネル式のデジタルサイネージ表示装置６０において選択した内容に応じた提供情報Ｃを変更する例を示す広告管理テーブル４７の登録内容を示す図である。この広告管理テーブル４７には、選択情報、サイネージ表示内容、広告主情報、識別情報及び提供情報が登録されている。
【０１８７】
１列目には、選択情報Ｌ１、サイネージ表示内容Ｍ１として「表示内容ＭＡ」、広告主情報Ｋ１として「広告主Ａ（Ａ市）」、識別情報Ｉ１として「リクエスト情報」、提供情報Ｃ１として「サイネージの場所から観光地Ａへのルート案内」が登録されている。
【０１８８】
２列目には、選択情報Ｌ２、サイネージ表示内容Ｍ２として「表示内容ＭＡ」、広告主情報Ｋ２として「広告主Ａ（Ａ市）」、識別情報Ｉ２として「リクエスト情報」、提供情報Ｃ２として「サイネージの場所から観光地Ｂへのルート案内」が登録されている。
【０１８９】
３列目には、選択情報Ｌ３、サイネージ表示内容Ｍ３として「表示内容ＭＡ」、広告主情報Ｋ３として「広告主Ａ（Ａ市）」、識別情報Ｉ３として「リクエスト情報」、提供情報Ｃ３として「サイネージの場所から観光地Ｃへのルート案内」が登録されている。
【０１９０】
４列目には、選択情報Ｌ４、サイネージ表示内容Ｍ４として「表示内容ＭＢ」、広告主情報Ｋ４として「広告主Ｂ（商店街Ｂ）」、識別情報Ｉ４として「リクエスト情報」、提供情報Ｃ４として「サイネージの場所から土産屋Ａへのルート案内」が登録されている。
【０１９１】
５列目には、選択情報Ｌ５、サイネージ表示内容Ｍ５として「表示内容ＭＢ」、広告主情報Ｋ５として「広告主Ｂ（商店街Ｂ）」、識別情報Ｉ５として「リクエスト情報」、提供情報Ｃ５として「サイネージの場所から土産屋Ｂへのルート案内」が登録されている。
【０１９２】
６列目には、選択情報Ｌ６、サイネージ表示内容Ｍ６として「表示内容ＭＢ」、広告主情報Ｋ６として「広告主Ｂ（商店街Ｂ）」、識別情報Ｉ６として「リクエスト情報」、提供情報Ｃ６として「サイネージの場所から土産屋Ｃへのルート案内」が登録されている。
【０１９３】
７列目には、サービス停止が登録されている。
【０１９４】
図２６は、タッチパネル式のデジタルサイネージ表示装置６０において選択した内容に応じた提供情報を変更する場合における広告情報配信システム１０Ａの動作手順を示すタイミングチャートである。携帯情報端末５０は、予めリクエスト情報Ｑを取得するように設定する（Ｔ１５０）。
【０１９５】
ネットワーク管理サーバ装置３０は、デジタルサイネージ表示装置６０にサイネージ表示内容Ｍ１を送信して設定する（Ｔ１５１）。デジタルサイネージ表示装置６０は、サイネージ表示内容Ｍ１である「表示内容ＭＡ」をタッチパネル６８に表示する。
【０１９６】
ユーザによってタッチパネル６８に表示されたサイネージ表示内容Ｍ１である「表示内容ＭＡ」が選択された場合（Ｔ１５２）、デジタルサイネージ表示装置６０は、リクエスト情報Ｑ及び選択情報Ｌ１を情報提供無線装置２０に送信して設定する（Ｔ１５３）。情報提供無線装置２０は、リクエスト情報Ｑ及び選択情報Ｌ１を含むビーコン信号Ｂ１を携帯情報端末５０に送信する（Ｔ１５４）。
【０１９７】
携帯情報端末５０は、ビーコン信号Ｂ１を受信すると（Ｔ１５５）、選択情報Ｌ１を含む情報送付要求Ｒ１をネットワーク管理サーバ装置３０に送信する（Ｔ１５６）。ネットワーク管理サーバ装置３０は、この要求に応じて、提供情報Ｃ１、即ち「サイネージの場所から観光地Ａへのルート案内」を携帯情報端末５０に送信し、携帯情報端末５０は、提供情報Ｃ１を受信する（Ｔ１５６）。
【０１９８】
続いて、ネットワーク管理サーバ装置３０は、デジタルサイネージ表示装置６０にサイネージ表示内容Ｍ２を送信して設定する（Ｔ１５８）。デジタルサイネージ表示装置６０は、サイネージ表示内容Ｍ２である「表示内容ＭＡ」をタッチパネル６８に表示する。以後の動作は同様である。
【０１９９】
また、ネットワーク管理サーバ装置３０は、デジタルサイネージ表示装置６０及び情報提供無線装置２０に対し、休止命令を送信すると（Ｔ１５９）、デジタルサイネージ表示装置６０及び情報提供無線装置２０は、休止状態となる。従って、広告情報配信システム１０Ａはサービスを停止する。なお、ここでは、第４の通信手順を用いたが、第５の通信手順、第６の通信手順を用いてもよい。
【０２００】
以上により、第２の実施形態の広告情報配信システムでは、ユーザがデジタルサイネージ表示装置６０のタッチパネル６８にタッチ入力するだけで、ユーザが欲しい提供情報を簡単に取得することができる。また、ユーザが携帯情報端末にリクエスト情報の取得を設定した場合に限って、デジタルサイネージ表示装置６０に表示された内容に関する提供情報が送信されるので、必要な情報だけを取得できる。また、他のユーザがデジタルサイネージ表示装置６０のタッチパネルにタッチ入力しても、自身の携帯情報端末にリクエスト情報の取得を設定しない場合、タッチされた内容に関する提供情報が送信されてくることはない。これにより、無用な情報の取得を回避できる。
【０２０１】
（変形例）
図２７は、変形例における一体型装置９０の構成を示すブロック図である。一体型装置９０は、前記第１の実施形態における、デジタルサイネージ表示装置６０と情報提供無線装置２０とが一体化された構成を有する。
【０２０２】
即ち、一体型装置９０は、前述した第１及び第２の実施形態で説明したデジタルサイネージ表示装置６０の各部と情報提供無線装置２０の各部とが１つの筐体に収容された構成を有する。各部の動作は、前述した図２、図５とほぼ同様であるので、同一の各部についは同一の符号を用いることで、その説明を省略する。
【０２０３】
外部接続Ｉ／Ｆ部２６Ａは、通信ネットワーク７２を介して送付されたデジタルサイネージ表示装置用の画像信号と提供データを受信し、一体型装置９０で取り扱われる信号に変換する。入力信号判別部２８は、外部接続Ｉ／Ｆ部２６Ａを介して入力された信号を、デジタルサイネージ表示装置側の各部で扱う情報と、情報提供無線装置側の各部で扱う情報とに振り分ける。
【０２０４】
このように、デジタルサイネージ表示装置の各部と情報提供無線装置の各部とが一体化された一体型装置９０を設けることで、デジタルサイネージ表示装置と情報提供無線装置とを接近して配置するように、工夫する手間を省くことができる。また、デジタルサイネージ表示装置と情報提供無線装置との間で無線通信を行うことなく、信号線を介して信号が伝達されるので、無線通信の負荷を省き、そのトラフィックを軽減できる。
【０２０５】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０２０６】
例えば、上述した各実施形態では、デジタルサイネージ表示装置は、通信ネットワークを介してネットワーク管理サーバ装置に接続され、ネットワーク管理サーバ装置からサイネージ表示内容を受信していたが、通信ネットワークに接続されていなくてもよい。例えば、デジタルサイネージ表示装置は、ＵＳＢやメモリカード等の外部メモリからサイネージ表示データを読み出してサイネージ表示内容を表示するようにしてもよい。この場合、デジタルサイネージ表示装置に表示されるサイネージ表示内容に含まれる選択情報と、ネットワーク管理サーバ装置に登録された選択情報とを事前に対応付けておく必要がある。
【０２０７】
以下、本発明の実施形態における広告情報配信システム及び広告情報配信方法の構成、作用、効果を列挙する。
【０２０８】
本発明の一実施形態は、情報提供装置（情報提供無線装置２０）と、サーバ装置（ネットワーク管理サーバ装置３０）と、携帯端末（携帯情報端末５０）とが接続され、前記サーバ装置が前記携帯端末に広告提供情報を配信する広告情報配信システム（広告情報配信システム１０）であって、前記サーバ装置は、所定切替条件（時間、天候、店舗の状況）と、広告示唆情報（広告主情報Ｋ、識別情報Ｉ）と、前記広告提供情報（提供情報Ｃ）とを対応付けて記憶するサーバ記憶部（メモリ部４０）と、前記所定切替条件が満たされると、前記所定切替条件に対応した前記広告示唆情報を前記情報提供装置に送信するサーバ送信部（通信部３９）と、を備え、前記携帯端末からの要求に応じて、前記広告提供情報を送信し、前記情報提供装置は、前記サーバ装置から送信された前記広告示唆情報の一部又は全部を含む信号（ビーコン信号Ｂ）を前記携帯端末に間欠的に送信する送信部（無線部２５）を備え、前記携帯端末は、前記送信部から送信された信号に対応する前記広告提供情報を前記サーバ装置に要求する広告要求部（制御部５１及び携帯回線通信部５５）を備える、広告情報配信システムである。
【０２０９】
この広告情報配信システムでは、前記サーバ装置が、所定切替条件と、広告示唆情報と、前記広告提供情報とを対応付けてサーバ記憶部に記憶しておく。前記サーバ装置が、前記所定切替条件が満たされると、前記所定切替条件に対応した前記広告示唆情報を前記情報提供装置に送信する。前記情報提供装置が、前記サーバ装置から送信された前記広告示唆情報の一部又は全部を含む信号を前記携帯端末に間欠的に送信する。前記携帯端末が、前記情報提供装置から送信された信号に対応する前記広告提供情報を前記サーバ装置に要求する。前記サーバ装置が、前記携帯端末からの要求に応じて、前記広告提供情報を送信する。
【０２１０】
これにより、広告情報配信システムは、さまざまな条件に応じて配信する広告提供情報を切り替えることができ、しかも、ユーザが希望する広告提供情報だけを配信することができる。これにより、ユーザは必要なあるいは興味ある情報を適切に取得できる。
【０２１１】
また、本発明の一実施形態は、前記情報提供装置は、前記広告示唆情報である識別情報及び広告主情報を含む信号を前記携帯端末装置に間欠的に送信し、前記携帯端末は、前記情報提供装置から送信された信号に含まれる前記識別情報及び広告主情報に対する前記広告提供情報を前記サーバ装置に要求する、広告情報配信システムである。
【０２１２】
これにより、広告情報配信システムは、速やかに広告提供情報を取得可能である。
【０２１３】
また、本発明の一実施形態は、前記携帯端末は、前記広告示唆情報の一部である識別情報を予め登録しておき、前記情報提供装置は、前記識別情報を含む信号を前記携帯端末装置に間欠的に送信し、前記携帯端末は、前記情報提供装置から送信された信号に含まれる識別情報が予め登録された識別情報と一致する場合、前記情報提供装置に対し、前記広告示唆情報の一部である広告主情報を要求し、前記情報提供装置は、前記携帯端末によって要求された広告主情報を前記携帯端末に送信し、前記携帯端末は、前記識別情報及び前記広告主情報に対する前記広告提供情報を前記サーバ装置に要求する、広告情報配信システムである。
【０２１４】
この広告情報配信システムでは、前記携帯端末は、前記広告示唆情報の一部である識別情報を予め登録しておく。前記情報提供装置は、前記識別情報を含む信号を前記携帯端末装置に間欠的に送信する。前記携帯端末は、前記情報提供装置から送信された信号に含まれる識別情報が予め登録された識別情報と一致する場合、前記情報提供装置に対し、前記広告示唆情報の一部である広告主情報を要求する。前記情報提供装置は、前記携帯端末によって要求された広告主情報を前記携帯端末に送信する。前記携帯端末は、前記識別情報及び前記広告主情報に対する前記広告提供情報を前記サーバ装置に要求する。
【０２１５】
これにより、広告情報配信システムは、識別情報に基づくユーザの希望を反映させた広告提供情報だけを取得可能である。
【０２１６】
また、本発明の一実施形態は、前記携帯端末は、前記広告示唆情報の一部である広告主情報を予め登録しておき、前記情報提供装置は、前記広告主情報を含む信号を前記携帯端末装置に間欠的に送信し、前記携帯端末は、前記情報提供装置から送信された信号に含まれる広告主情報が予め登録された広告主情報と一致する場合、前記情報提供装置に対し、前記広告示唆情報の一部である識別情報を要求し、前記情報提供装置は、前記携帯端末によって要求された識別情報を前記携帯端末に送信し、前記携帯端末は、前記識別情報及び前記広告主情報に対する前記広告提供情報を前記サーバ装置に要求する、広告情報配信システムである。
【０２１７】
この広告情報配信システムでは、前記携帯端末は、前記広告示唆情報の一部である広告主情報を予め登録しておく。前記情報提供装置は、前記広告主情報を含む信号を前記携帯端末装置に間欠的に送信する。前記携帯端末は、前記情報提供装置から送信された信号に含まれる広告主情報が予め登録された広告主情報と一致する場合、前記情報提供装置に対し、前記広告示唆情報の一部である識別情報を要求する。前記情報提供装置は、前記携帯端末によって要求された識別情報を前記携帯端末に送信する。前記携帯端末は、前記識別情報及び前記広告主情報に対する前記広告提供情報を前記サーバ装置に要求する。
【０２１８】
これにより、広告情報配信システムは、信号に含まれる広告主情報が予め登録された広告主情報と一致する場合、携帯端末は、情報提供装置から識別情報を自動的に取得するので、希望した広告主情報の広告提供情報だけを取得可能である。
【０２１９】
また、本発明の一実施形態は、前記所定切替条件は、時間、天候又は店舗の状況のうちいずれかである、広告情報配信システムである。
【０２２０】
これにより、広告情報配信システムは、時間、天候又は店舗の状況に応じて配信する広告提供情報を切り替えることができ、しかも、ユーザが希望する広告提供情報だけを配信することができる。例えば、時間によって配信される広告提供情報が切り替わるので、広告主及びユーザの双方にとって広告提供情報の配信が分かり易くなる。また、天候に合わせた広告提供情報を送信することが可能である。従って、天候によって消費行動を変更しようと考えるユーザの携帯端末に適切な広告提供情報を送信することができる。また、繁盛時に合わせた広告提供情報を送信することが可能である。店舗の繁盛時には、お客様をインターネット販売（ネット決済）に誘導することができ、店舗内の混雑の緩和に役立つ。
【０２２１】
また、本発明の一実施形態は、前記サーバ装置は、同一の時間帯に、複数の広告主情報に対応する複数の前記広告提供情報を前記サーバ記憶部において記憶し、前記携帯端末からの要求に応じて、前記サーバ記憶部に記憶された複数の前記広告提供情報のいずれかを前記サーバ送信部から送信する、広告情報配信システムである。
【０２２２】
これにより、広告情報配信システムは、同一の時間帯に複数の広告主情報に対応する広告提供情報を配信することができ、ユーザは多くの広告提供情報あるいは希望する広告提供情報を取得することができ、利便性が向上する。
【０２２３】
また、本発明の一実施形態は、広告情報を表示する表示装置（デジタルサイネージ表示装置６０）が接続され、前記所定切替条件は、前記表示装置に表示される広告情報である、広告情報配信システムである。
【０２２４】
これにより、広告情報配信システムは、携帯端末に信号が送られてくる前に、表示装置に広告情報を表示しておくことで、ユーザは広告提供情報の内容を判断することができる。また、表示装置に表示された内容を見て、情報を欲しくなったユーザを増やすことができ、また、そのユーザの携帯端末に効果的に広告提供情報を送信することができる。
【０２２５】
また、本発明の一実施形態は、前記サーバ装置は、前記サーバ記憶部に前記広告情報を記憶しておき、時間帯に対応する前記広告情報を前記サーバ送信部から前記表示装置に送信する、広告情報配信システムである。
【０２２６】
これにより、広告情報配信システムは、時間帯によって表示装置に表示される内容が切り替わるとともに、配信される広告提供情報も切り替わるので、広告主及びユーザの双方にとって広告提供情報の配信が分かり易くなる。
【０２２７】
また、本発明の一実施形態は、情報提供装置と、サーバ装置と、携帯端末と、入力表示装置（タッチパネル式のデジタルサイネージ表示装置６０）とが接続され、前記サーバ装置が前記携帯端末に広告提供情報を配信する広告情報配信システムであって、前記サーバ装置は、選択情報と前記広告提供情報とを対応付けて記憶するサーバ記憶部を備え、前記入力表示装置は、表示部及び入力部を備え、前記表示部に広告情報を表示し、前記広告情報に対する選択情報が前記入力部によって選択された場合、前記選択情報を前記情報提供装置に送信し、前記情報提供装置は、前記入力表示装置から送信された前記選択情報を前記携帯端末に間欠的に送信し、前記携帯端末は、前記情報提供装置から送信された前記選択情報を受信する受信部（携帯回線通信部５５）と、前記選択情報に対応する前記広告提供情報を前記サーバ装置に要求する広告要求部を備える、広告情報配信システムである。
【０２２８】
この広告情報配信システムでは、前記サーバ装置が、選択情報と前記広告提供情報とを対応付けてサーバ記憶部に記憶しておく。前記入力表示装置が、広告情報を表示し、前記広告情報に対する選択情報が選択された場合、前記選択情報を前記情報提供装置に送信する。前記情報提供装置が、前記入力表示装置から送信された前記選択情報を含む信号を前記携帯端末に間欠的に送信する。前記携帯端末が、前記情報提供装置から送信された信号に対応する前記選択情報を前記サーバ装置に要求する。前記サーバ装置が、前記携帯端末からの要求に応じて、前記広告提供情報を送信する。
【０２２９】
これにより、広告情報配信システムは、ユーザが入力表示装置に表示された広告情報に対する選択情報を選択するだけで、ユーザが欲しい広告提供情報を簡単に取得することができる。
【０２３０】
また、本発明の一実施形態は、前記情報提供装置は、前記入力表示装置から送信された前記選択情報及びリクエスト情報を前記携帯端末に間欠的に送信し、前記携帯端末は、前記リクエスト情報を受信するように設定された場合、前記情報提供装置から送信された前記リクエスト情報及び前記選択情報を受信する、広告情報配信システムである。
【０２３１】
これにより、広告情報配信システムは、ユーザが携帯端末にリクエスト情報の取得を設定した場合に限って、入力表示装置に表示された内容に関する広告提供情報が送信されるので、必要な情報だけを取得できる。また、他のユーザが入力表示装置に表示された広告情報に対する選択情報を選択しても、自身の携帯端末にリクエスト情報の取得を設定しない場合、その広告提供情報が送信されてくることはない。これにより、無用な情報の取得を回避できる。
【０２３２】
また、本発明の一実施形態は、前記情報提供装置は、前記携帯端末からの信号の受信レベルを検出する第１の受信レベル検出部を備え、前記受信レベルの大きさに応じて、前記広告示唆情報を変更する、広告情報配信システムである。
【０２３３】
この広告情報配信システムでは、例えば、情報提供装置は、第１の受信レベル検出部が、携帯端末から送信される受信電波の受信レベルが小さい場合、つまり、携帯端末が遠方にあると判断される場合、例えばイベント情報の信号を送信し、受信レベルが大きい場合、つまり、携帯端末が近くにあると判断される場合、例えばクーポンの信号を携帯端末に送信することができる。これにより、お客様を店舗に誘導することができる。
【０２３４】
また、本発明の一実施形態は、前記携帯端末は、前記情報提供装置からの信号の受信レベルを検出する第２の受信レベル検出部を備え、前記受信レベルの大きさに応じて、前記サーバ装置に要求するか否かを決定する、広告情報配信システムである。
【０２３５】
この広告情報配信システムでは、例えば、携帯端末は、情報提供装置から発信される受信電波の受信レベルが小さい場合、つまり、遠方の場合、広告提供情報を取得せず、受信レベルが大きい場合、つまり、近くの場合、広告提供情報を取得することができる。このように、ユーザが受信レベルに応じた設定を行うことができ、例えば自身の行動範囲に適した提供情報の取得が可能となる。
【０２３６】
また、本発明の一実施形態は、前記情報提供装置は、前記サーバ装置から休止命令が送信された場合、前記携帯端末に送信する信号を停止する、広告情報配信システムである。
【０２３７】
これにより、広告情報配信システムは、情報提供装置は、休止を最優先させて、携帯端末に信号を送信しないように停止する。従って、必要以上に無線信号の送信を無くし、省電力化を図ることができる。
【０２３８】
また、本発明の一実施形態は、情報提供装置と、サーバ装置と、携帯端末とが接続された広告情報配信システムにおいて、前記サーバ装置が前記携帯端末に広告提供情報を配信する広告情報配信方法であって、前記サーバ装置が、所定切替条件と、広告示唆情報と、前記広告提供情報とを対応付けてサーバ記憶部に記憶しておくステップと、前記サーバ装置が、前記所定切替条件が満たされると、前記所定切替条件に対応した前記広告示唆情報を前記情報提供装置に送信するステップと、前記情報提供装置が、前記サーバ装置から送信された前記広告示唆情報の一部又は全部を含む信号を前記携帯端末に間欠的に送信するステップと、前記携帯端末が、前記情報提供装置から送信された信号に対応する前記広告提供情報を前記サーバ装置に要求するステップと、前記サーバ装置が、前記携帯端末からの要求に応じて、前記広告提供情報を送信するステップと、を有する広告情報配信方法である。
【０２３９】
これにより、広告情報配信システムは、さまざまな条件に応じて配信する広告提供情報を切り替えることができ、しかも、ユーザが希望する広告提供情報だけを配信することができる。これにより、ユーザは必要なあるいは興味ある情報を適切に取得できる。
【０２４０】
また、本発明の一実施形態は、情報提供装置と、サーバ装置と、携帯端末と、入力表示装置とが接続された広告情報配信システムにおいて、前記サーバ装置が前記携帯端末に広告提供情報を配信する広告情報配信方法であって、前記サーバ装置が、選択情報と前記広告提供情報とを対応付けてサーバ記憶部に記憶するステップと、前記入力表示装置が、広告情報を表示し、前記広告情報に対する選択情報が選択された場合、前記選択情報を前記情報提供装置に送信するステップと、前記情報提供装置が、前記入力表示装置から送信された前記選択情報を含む信号を前記携帯端末に間欠的に送信するステップと、前記携帯端末が、前記情報提供装置から送信された信号に対応する前記選択情報を前記サーバ装置に要求するステップと、前記サーバ装置が、前記携帯端末からの要求に応じて、前記広告提供情報を送信するステップと、を有する広告情報配信方法である。
【０２４１】
これにより、広告情報配信システムは、ユーザが入力表示装置に表示された広告情報に対する選択情報を選択するだけで、ユーザが欲しい広告提供情報を簡単に取得することができる。
【産業上の利用可能性】
【０２４２】
本発明は、携帯端末に広告提供情報を配信し、特に条件に応じて配信する情報を切り替え、しかも、ユーザが希望する情報だけを配信する広告情報配信システム及び広告情報配信方法として有用である。
【符号の説明】
【０２４３】
１０  広告情報配信システム
２０  情報提供無線装置
２１、３１、５１  制御部
２１Ａ  パケット信号生成部
２１Ｂ  提供データ判別部
２２、３２、５２、６２  表示部
２３、３３、５３、６３  操作部
２４、４０、５４  メモリ部
２５、５６  無線部
２５Ａ、５６Ａ  受信レベル検知部
２５Ｂ  アンテナ
２６、２６Ａ、６５  外部接続Ｉ／Ｆ部
２８  入力信号判別部
３０  ネットワーク管理サーバ装置
３９  通信部
３１Ａ  提供情報生成部
３１Ｂ  提供データ生成部
３４  ユーザ情報ＤＢ
３５  広告主情報ＤＢ
３６  識別情報ＤＢ
３７  提供情報ＤＢ
３８  広告情報ＤＢ
４１、４２、４３、４４、４５、４６、４７  広告管理テーブル
５０  携帯情報端末
５１Ａ  提供データ判別部
５５  携帯回線通信部
５７  データ通信部
５８、６６  周辺機器Ｉ／Ｆ部
５９Ａ  電源部
５９Ｂ  充電部
６０  デジタルサイネージ表示装置
６１  画像表示制御部
６４  画像処理メモリ部
６８  タッチパネル
７２  通信ネットワーク
７６  携帯回線ネットワーク
９０  一体型装置
【図１】
2016095726.tif 000003
【図２】
2016095726.tif 000004
【図３】
2016095726.tif 000005
【図４】
2016095726.tif 000006
【図５】
2016095726.tif 000007
【図６】
2016095726.tif 000008
【図７】
2016095726.tif 000009
【図８】
2016095726.tif 000010
【図９】
2016095726.tif 000011
【図１０】
2016095726.tif 000012
【図１１】
2016095726.tif 000013
【図１２】
2016095726.tif 000014
【図１３】
2016095726.tif 000015
【図１４】
2016095726.tif 000016
【図１５】
2016095726.tif 000017
【図１６】
2016095726.tif 000018
【図１７】
2016095726.tif 000019
【図１８】
2016095726.tif 000020
【図１９】
2016095726.tif 000021
【図２０】
2016095726.tif 000022
【図２１】
2016095726.tif 000023
【図２２】
2016095726.tif 000024
【図２３】
2016095726.tif 000025
【図２４】
2016095726.tif 000026
【図２５】
2016095726.tif 000027
【図２６】
2016095726.tif 000028
【図２７】
2016095726.tif 000029